(57)【要約】【課題】  呼吸情報や心拍情報等の生体情報を精度良く計測することができ、更に、ベッドの設置作業を容易に行うことができる生体情報計測装置を提供すること。【解決手段】  生体情報計測装置A1は被験者が就寝するためのベッド１を備える。ベッド１の、被験者を受ける寝床面を構成する寝床面構成部材２の一部に、少なくとも一個の歪みゲージ40a,40bが貼り付けられている。被験者の生体活動により生じる寝床面構成部材２の振動が、歪みゲージ40a,40bにより検出される。そして、歪みゲージ40a,40bからの出力信号に基づいて被験者の生体情報が計測される。【選択図】      図１
2005177471.tif 000002
【特許請求の範囲】
【請求項１】
被験者が横臥するためのベッドを備え、
前記ベッドの、被験者を受ける寝床面を構成する寝床面構成部材の一部に、歪みゲージが取り付けられ、
被験者の生体活動により生じる前記寝床面構成部材の振動が、前記歪みゲージにより検出されるものとなされるとともに、
前記歪みゲージからの出力信号に基づいて被験者の生体情報が計測されるものとなされていることを特徴とする生体情報計測装置。
【請求項２】
前記歪みゲージが、前記寝床面構成部材の、被験者の胸部を含む胸周辺部に対応する部位に取り付けられている請求項１記載の生体情報計測装置。
【請求項３】
前記歪みゲージが、前記寝床面構成部材の上下両面の互いに対向する位置に、二対以上取り付けられており、
前記二対以上の歪みゲージが電気的に接続されて形成されたブリッジ回路からの出力信号に基づいて被験者の生体情報が計測されるものとなされている請求項１又は２記載の生体情報計測装置。
【請求項４】
前記寝床面構成部材は、その長さ方向に複数個に分割されており、
前記歪みゲージが、前記寝床面構成部材の、被験者の上半身を受ける上半身受け体に取り付けられている請求項１〜３のいずれか１項記載の生体情報計測装置。
【請求項５】
前記ベッドは、前記上半身受け体を支持する支持部材を有し、
前記上半身受け体の少なくとも一部が前記支持部材に片持ち梁状に支持され、
前記歪みゲージが前記上半身受け体の片持ち梁部に取り付けられている請求項４記載の生体情報計測装置。
【請求項６】
更に、前記歪みゲージからの出力信号に基づいて被験者の生体情報を演算する演算手段と、前記演算手段により演算された生体情報を表示する表示手段とを備えている請求項１〜５のいずれか１項記載の生体情報計測装置。
【請求項７】
更に、前記演算手段により演算された生体情報を送信する通信手段を備えている請求項６記載の生体情報計測装置。
【請求項８】
更に、前記演算手段により演算された生体情報に基づいて警報を発する警報手段を備えている請求項６又は７記載の生体情報計測装置。
【請求項９】
被験者の生体情報を計測する装置に用いられる、被験者が横臥するためのベッドであって、
前記ベッドの、被験者を受ける寝床面を構成する寝床面構成部材の一部に、歪みゲージが取り付けられ、
被験者の生体活動により生じる前記寝床面構成部材の振動が、前記歪みゲージにより検出されるものとなされるとともに、
前記歪みゲージからの出力信号は、被験者の生体情報の計測に用いられるものであることを特徴とする生体情報計測装置用ベッド。
【請求項１０】
前記歪みゲージが、前記寝床面構成部材の、被験者の胸部を含む胸周辺部に対応する部位に取り付けられている請求項９記載の生体情報計測装置用ベッド。
【請求項１１】
前記歪みゲージが、前記寝床面構成部材の上下両面の互いに対向する位置に、二対以上取り付けられており、
前記二対以上の歪みゲージが電気的に接続されることによりブリッジ回路が形成され、
前記ブリッジ回路からの出力信号が、被験者の生体情報の計測に用いられるものである請求項９又は１０記載の生体情報計測装置用ベッド。
【請求項１２】
前記寝床面構成部材は、その長さ方向に複数個に分割されており、
前記歪みゲージが、前記寝床面構成部材の、被験者の上半身を受ける上半身受け体に取り付けられている請求項９〜１１のいずれか１項記載の生体情報計測装置用ベッド。
【請求項１３】
前記ベッドは、前記上半身受け体を支持する支持部材を有し、
前記上半身受け体の少なくとも一部が前記支持部材に片持ち梁状に支持され、
前記歪みゲージが前記上半身受け体の片持ち梁部に取り付けられている請求項１２記載の生体情報計測装置用ベッド。
【請求項１４】
前記ベッドは、前記上半身受け体を支持する支持部材として、前記上半身受け体の左右方向中間部に配置され且つ前記上半身受け体の長さ方向に延びた中央支持フレームを有し、
前記上半身受け体は、その左右方向中間部で前記中央支持フレームに支持されるとともに、該上半身受け体の左右両端がそれぞれ自由端とされ、
前記歪みゲージが、前記上半身受け体の前記中央支持フレームによる支持位置に対して左側に位置する左半部と右側に位置する右半部とに、それぞれ取り付けられている請求項１２記載の生体情報計測装置用ベッド。
【請求項１５】
前記ベッドは、前記上半身受け体を支持する支持部材として、前記上半身受け体の左右方向両側部に配置され且つ前記上半身受け体の長さ方向に延びた左右一対の左サイド支持フレーム及び右サイド支持フレームを有し、
前記上半身受け体は、その左右方向中間部で左半片と右半片とに分割されており、
前記左半片の少なくとも一部は、その左端部で前記左サイド支持フレームに片持ち梁状に支持され、
前記右半片の少なくとも一部は、その右端部で前記右サイド支持フレームに片持ち梁状に支持され、
前記歪みゲージが前記左右両半片の片持ち梁部にそれぞれ取り付けられている請求項１２記載の生体情報計測装置用ベッド。
【請求項１６】
前記ベッドは、前記上半身受け体を支持する支持部材として、前記上半身受け体の左右方向中間部に配置され且つ前記上半身受け体の長さ方向に延びた中央支持フレームを有し、
前記上半身受け体は、その長さ方向に複数個に分割されており、
前記上半身受け体の、被験者の胸部を含む胸周辺部に対応する位置に配置され前記胸周辺部を受ける胸部受け片が、その左右方向中間部で左半片と右半片とに分割されており、
前記左半片は、その右端部で前記中央支持フレームに片持ち梁状に支持され、
前記右半片は、その左端部で前記中央支持フレームに片持ち梁状に支持され、
前記歪みゲージが前記左右両半片にそれぞれ取り付けられている請求項１２記載の生体情報計測装置用ベッド。
【請求項１７】
前記ベッドは、前記上半身受け体を支持する支持部材として、前記上半身受け体の左右方向両側部に配置され且つ前記上半身受け体の長さ方向に延びた左右一対の左サイド支持フレーム及び右サイド支持フレームを有し、
前記上半身受け体は、その長さ方向に並んで配置され且つその左右方向に延びた複数個の横桟から形成されており、
前記複数個の横桟のうち二個の第１横桟及び第２横桟において、
前記第１横桟は、その左端部で前記左サイド支持フレームに片持ち梁状に支持され、
前記第２横桟は、その右端部で前記右サイド支持フレームに片持ち梁状に支持され、
前記歪みゲージが前記第１横桟及び前記第２横桟にそれぞれ取り付けられている請求項１２記載の生体情報計測装置用ベッド。
【請求項１８】
前記ベッドは、前記上半身受け体を支持する支持部材として、前記上半身受け体の左右方向両側部に配置され且つ前記上半身受け体の長さ方向に延びた左右一対の左サイド支持フレーム及び右サイド支持フレームを有し、
前記上半身受け体は、その長さ方向に並んで配置され且つその左右方向に延びた複数個の横桟から形成されており、
前記複数個の横桟のうち少なくとも一個の横桟は、該横桟の左右方向中間部に配置される中間片と、該横桟の左右両端部に配置され且つ前記中間片を前記左右両サイド支持フレームに連結する左右一対の左連結片及び右連結片とから形成されており、
前記左連結片は、その左端部で前記左サイド支持フレームに支持されるとともに、該左連結片の右端部が前記中間片の左端部に連結され、
前記右連結片は、その右端部で前記右サイド支持フレームに支持されるとともに、該右連結片の左端部が前記中間片の右端部に連結され、
前記歪みゲージが前記左右両連結片の左右方向中間部にぞれぞれ取り付けられている請求項１２記載の生体情報計測装置用ベッド。
【請求項１９】
前記中間片は中空材からなる請求項１８記載の生体情報計測装置用ベッド。
【請求項２０】
前記ベッドは、前記上半身受け体を支持する支持部材として、前記上半身受け体の左右方向両側部に配置され且つ前記上半身受け体の長さ方向に延びた左右一対の左サイド支持フレーム及び右サイド支持フレームを有し、
前記上半身受け体は、その長さ方向に複数個に分割されており、
前記上半身受け体の、被験者の胸部を含む胸周辺部に対応する位置に配置され前記胸周辺部を受ける胸部受け片は、該胸部受け片の下側に配置され且つ該胸部受け片の左右方向に延びた二個の第１横桟及び第２横桟を有し、
前記第１横桟は、その左端部で前記左サイド支持フレームに片持ち梁状に支持され、
前記第２横桟は、その右端部で前記右サイド支持フレームに片持ち梁状に支持され、
前記胸部受け片は、その右端部で前記第１横桟の右端部に支持され且つその左端部で前記第２横桟の左端部に支持され、
前記歪みゲージが前記第１横桟及び前記第２横桟にそれぞれ取り付けられている請求項１２記載の生体情報計測装置用ベッド。
【請求項２１】
被験者が横臥するためのベッドを用い、
前記ベッドの寝床面を構成する寝床面構成部材上に横臥する被験者の生体活動により生じる前記寝床面構成部材の振動を、該寝床面構成部材の一部に取り付けられた歪みゲージにより検出し、
前記歪みゲージからの出力信号に基づいて被験者の生体情報を計測することを特徴とする生体情報計測方法。
【請求項２２】
前記歪みゲージが、前記寝床面構成部材の、被験者の胸部を含む胸周辺部に対応する部位に取り付けられている請求項２１記載の生体情報計測方法。
【請求項２３】
前記歪みゲージが、前記寝床面構成部材の上下両面の互いに対向する位置に、二対以上取り付けられており、
前記二対以上の歪みゲージが電気的に接続されて形成されたブリッジ回路からの出力信号に基づいて被験者の生体情報を計測する請求項２１又は２２記載の生体情報計測方法。
【請求項２４】
前記寝床面構成部材は、その長さ方向に複数個に分割されており、
前記歪みゲージが、前記寝床面構成部材の、被験者の上半身を受ける上半身受け体に取り付けられている請求項２１〜２３のいずれか１項記載の生体情報計測方法。
【請求項２５】
前記ベッドは、前記上半身受け体を支持する支持部材を有し、
前記上半身受け体の少なくとも一部が前記支持部材に片持ち梁状に支持され、
前記歪みゲージが前記上半身受け体の片持ち梁部に取り付けられている請求項２４記載の生体情報計測方法。
【請求項２６】
前記歪みゲージからの出力信号に基づいて被験者の生体情報を演算手段により演算し、
前記演算手段により演算された生体情報を表示手段により表示する請求項２１〜２５のいずれか１項記載の生体情報計測方法。
【請求項２７】
前記演算手段により演算された生体情報を通信手段により送信する請求項２６記載の生体情報計測方法。
【請求項２８】
前記演算手段により演算された生体情報に基づいて警報を警報手段により発する請求項２６又は２７記載の生体情報計測方法。
【請求項２９】
被験者が横臥するためのベッドを備え、
前記ベッドの、被験者を受ける寝床面を構成する寝床面構成部材の一部には、被験者の生体活動により生じる前記寝床面構成部材の振動を検出する歪みゲージが取り付けられており、
更に、前記歪みゲージからの出力信号に基づいて被験者の生体情報を演算する演算手段と、
前記演算手段により演算された生体情報を送信する通信手段と、
前記演算手段により演算された生体情報を表示する表示手段と、
前記演算手段により演算された生体情報に基づいて警報を発する警報手段と
を備えていることを特徴とする生体活動監視システム。
【発明の詳細な説明】
【技術分野】
【０００１】
この発明は、被験者の例えば就寝中の生体情報を計測するための生体情報計測装置、生体情報計測装置用ベッド及び生体情報計測方法に関する。
【背景技術】
【０００２】
医療施設や介護施設等では、病人、乳幼児、高齢者等の被験者の健康状態を把握するために、被験者の就寝中の生体情報（体重、呼吸数、心拍数、体動等）を計測することが行われている。近年、この計測に用いられる生体情報計測装置が多数、開発されている（例えば、特許文献１−３参照。）。これらの装置の一つに、次のような構成のものが知られている。
【０００３】
すなわち、この装置は、ベッドの四個の脚部の下端にそれぞれ重量センサとしてロードセルが取り付けられている。そして、被験者が滞在するベッドの全荷重をロードセルにより測定し、この測定された荷重の変動に基づいて被験者の生体情報を計測するものとなされている（例えば、特許文献１参照。）。
【０００４】
上述の装置では、被験者の体重とベッドの重量との合計荷重がロードセルにより測定されることから、この測定された荷重からベッドの重量を差し引くことにより、被験者の絶対体重を測定することができるという利点がある。
【特許文献１】特開２００３−５５２号公報（請求項１、第２図）
【特許文献２】特開２００１−２７６０１９号公報（請求項１、第１及び２図）
【特許文献３】特開２００１−４６３４７号公報（請求項１、第１図）
【発明の開示】
【発明が解決しようとする課題】
【０００５】
しかしながら、上述の装置には次の難点があった。
【０００６】
すなわち、上述の装置では、被験者の体重とベッドの重量との合計荷重の変動に基づいて被験者の生体情報が計測されるため、被験者の様々な生体活動のうち僅かな荷重変化しか伴わない生体情報である呼吸情報や心拍情報については、精度良く計測することが困難であった。
【０００７】
また、上述の装置では、測定精度の安定化を図るために、ベッド全体の剛性を高めなければならず、その結果、ベッドの重量が重くなったりベッドの製造コストが高くなるという難点があった。
【０００８】
また、上述の装置では、測定精度の向上のために、ロードセルの荷重受け部とベッドの脚部の下端との間にボールやころを介在させる必要がある。そのため、ベッドの設置時に厳格なアライメント作業（芯出し作業）を行わなければならず、ベッドの設置作業が困難であるという難点があった。
【０００９】
また、上述の装置では、ロードセルは、ベッドの脚部の下端に取り付けられてベッドを設置した床面上に載置されていることから、ベッドの周囲を人が歩行することにより生じる床面の振動がノイズ振動としてロードセルに直接的に伝達されてしまい、その結果、計測精度が低下するという難点があった。
【００１０】
本発明は、上述した技術背景に鑑みてなされたものであり、その目的は、被験者の様々な生体情報のうち特に呼吸情報や心拍情報等を精度良く計測することができ、更に、ベッドの設置作業を容易に行うことができる生体情報計測装置、該装置に用いられるベッド、前記装置を用いた生体情報計測方法、及び生体活動監視システムを提供することにある。
【課題を解決するための手段】
【００１１】
本発明は以下の手段を提供する。
【００１２】
［１］  被験者が横臥するためのベッドを備え、前記ベッドの、被験者を受ける寝床面を構成する寝床面構成部材の一部に、歪みゲージが取り付けられ、被験者の生体活動により生じる前記寝床面構成部材の振動が、前記歪みゲージにより検出されるものとなされるとともに、前記歪みゲージからの出力信号に基づいて被験者の生体情報が計測されるものとなされていることを特徴とする生体情報計測装置。
【００１３】
［２］  前記歪みゲージが、前記寝床面構成部材の、被験者の胸部を含む胸周辺部に対応する部位に取り付けられている前項１記載の生体情報計測装置。
【００１４】
［３］  前記歪みゲージが、前記寝床面構成部材の上下両面の互いに対向する位置に、二対以上取り付けられており、前記二対以上の歪みゲージが電気的に接続されて形成されたブリッジ回路からの出力信号に基づいて被験者の生体情報が計測されるものとなされている前項１又は２記載の生体情報計測装置。
【００１５】
［４］  前記寝床面構成部材は、その長さ方向に複数個に分割されており、前記歪みゲージが、前記寝床面構成部材の、被験者の上半身を受ける上半身受け体に取り付けられている前項１〜３のいずれか１項記載の生体情報計測装置。
【００１６】
［５］  前記ベッドは、前記上半身受け体を支持する支持部材を有し、前記上半身受け体の少なくとも一部が前記支持部材に片持ち梁状に支持され、前記歪みゲージが前記上半身受け体の片持ち梁部に取り付けられている前項４記載の生体情報計測装置。
【００１７】
［６］  更に、前記歪みゲージからの出力信号に基づいて被験者の生体情報を演算する演算手段と、前記演算手段により演算された生体情報を表示する表示手段とを備えている前項１〜５のいずれか１項記載の生体情報計測装置。
【００１８】
［７］  更に、前記演算手段により演算された生体情報を送信する通信手段を備えている前項６記載の生体情報計測装置。
【００１９】
［８］  更に、前記演算手段により演算された生体情報に基づいて警報を発する警報手段を備えている前項６又は７記載の生体情報計測装置。
【００２０】
［９］  被験者の生体情報を計測する装置に用いられる、被験者が横臥するためのベッドであって、前記ベッドの、被験者を受ける寝床面を構成する寝床面構成部材の一部に、歪みゲージが取り付けられ、被験者の生体活動により生じる前記寝床面構成部材の振動が、前記歪みゲージにより検出されるものとなされるとともに、前記歪みゲージからの出力信号は、被験者の生体情報の計測に用いられるものであることを特徴とする生体情報計測装置用ベッド。
【００２１】
［１０］  前記歪みゲージが、前記寝床面構成部材の、被験者の胸部を含む胸周辺部に対応する部位に取り付けられている前項９記載の生体情報計測装置用ベッド。
【００２２】
［１１］  前記歪みゲージが、前記寝床面構成部材の上下両面の互いに対向する位置に、二対以上取り付けられており、前記二対以上の歪みゲージが電気的に接続されることによりブリッジ回路が形成され、前記ブリッジ回路からの出力信号が、被験者の生体情報の計測に用いられるものである前項９又は１０記載の生体情報計測装置用ベッド。
【００２３】
［１２］  前記寝床面構成部材は、その長さ方向に複数個に分割されており、前記歪みゲージが、前記寝床面構成部材の、被験者の上半身を受ける上半身受け体に取り付けられている前項９〜１１のいずれか１項記載の生体情報計測装置用ベッド。
【００２４】
［１３］  前記ベッドは、前記上半身受け体を支持する支持部材を有し、前記上半身受け体の少なくとも一部が前記支持部材に片持ち梁状に支持され、前記歪みゲージが前記上半身受け体の片持ち梁部に取り付けられている前項１２記載の生体情報計測装置用ベッド。
【００２５】
［１４］  前記ベッドは、前記上半身受け体を支持する支持部材として、前記上半身受け体の左右方向中間部に配置され且つ前記上半身受け体の長さ方向に延びた中央支持フレームを有し、前記上半身受け体は、その左右方向中間部で前記中央支持フレームに支持されるとともに、該上半身受け体の左右両端がそれぞれ自由端とされ、前記歪みゲージが、前記上半身受け体の前記中央支持フレームによる支持位置に対して左側に位置する左半部と右側に位置する右半部とに、それぞれ取り付けられている前項１２記載の生体情報計測装置用ベッド。
【００２６】
［１５］  前記ベッドは、前記上半身受け体を支持する支持部材として、前記上半身受け体の左右方向両側部に配置され且つ前記上半身受け体の長さ方向に延びた左右一対の左サイド支持フレーム及び右サイド支持フレームを有し、前記上半身受け体は、その左右方向中間部で左半片と右半片とに分割されており、前記左半片の少なくとも一部は、その左端部で前記左サイド支持フレームに片持ち梁状に支持され、前記右半片の少なくとも一部は、その右端部で前記右サイド支持フレームに片持ち梁状に支持され、前記歪みゲージが前記左右両半片の片持ち梁部にそれぞれ取り付けられている前項１２記載の生体情報計測装置用ベッド。
【００２７】
［１６］  前記ベッドは、前記上半身受け体を支持する支持部材として、前記上半身受け体の左右方向中間部に配置され且つ前記上半身受け体の長さ方向に延びた中央支持フレームを有し、前記上半身受け体は、その長さ方向に複数個に分割されており、前記上半身受け体の、被験者の胸部を含む胸周辺部に対応する位置に配置され前記胸周辺部を受ける胸部受け片が、その左右方向中間部で左半片と右半片とに分割されており、前記左半片は、その右端部で前記中央支持フレームに片持ち梁状に支持され、前記右半片は、その左端部で前記中央支持フレームに片持ち梁状に支持され、前記歪みゲージが前記左右両半片にそれぞれ取り付けられている前項１２記載の生体情報計測装置用ベッド。
【００２８】
［１７］  前記ベッドは、前記上半身受け体を支持する支持部材として、前記上半身受け体の左右方向両側部に配置され且つ前記上半身受け体の長さ方向に延びた左右一対の左サイド支持フレーム及び右サイド支持フレームを有し、前記上半身受け体は、その長さ方向に並んで配置され且つその左右方向に延びた複数個の横桟から形成されており、前記複数個の横桟のうち二個の第１横桟及び第２横桟において、前記第１横桟は、その左端部で前記左サイド支持フレームに片持ち梁状に支持され、前記第２横桟は、その右端部で前記右サイド支持フレームに片持ち梁状に支持され、前記歪みゲージが前記第１横桟及び前記第２横桟にそれぞれ取り付けられている前項１２記載の生体情報計測装置用ベッド。
【００２９】
［１８］  前記ベッドは、前記上半身受け体を支持する支持部材として、前記上半身受け体の左右方向両側部に配置され且つ前記上半身受け体の長さ方向に延びた左右一対の左サイド支持フレーム及び右サイド支持フレームを有し、前記上半身受け体は、その長さ方向に並んで配置され且つその左右方向に延びた複数個の横桟から形成されており、前記複数個の横桟のうち少なくとも一個の横桟は、該横桟の左右方向中間部に配置される中間片と、該横桟の左右両端部に配置され且つ前記中間片を前記左右両サイド支持フレームに連結する左右一対の左連結片及び右連結片とから形成されており、前記左連結片は、その左端部で前記左サイド支持フレームに支持されるとともに、該左連結片の右端部が前記中間片の左端部に連結され、前記右連結片は、その右端部で前記右サイド支持フレームに支持されるとともに、該右連結片の左端部が前記中間片の右端部に連結され、前記歪みゲージが前記左右両連結片の左右方向中間部にぞれぞれ取り付けられている前項１２記載の生体情報計測装置用ベッド。
【００３０】
［１９］  前記中間片は中空材からなる前項１８記載の生体情報計測装置用ベッド。
【００３１】
［２０］  前記ベッドは、前記上半身受け体を支持する支持部材として、前記上半身受け体の左右方向両側部に配置され且つ前記上半身受け体の長さ方向に延びた左右一対の左サイド支持フレーム及び右サイド支持フレームを有し、前記上半身受け体は、その長さ方向に複数個に分割されており、前記上半身受け体の、被験者の胸部を含む胸周辺部に対応する位置に配置され前記胸周辺部を受ける胸部受け片は、該胸部受け片の下側に配置され且つ該胸部受け片の左右方向に延びた二個の第１横桟及び第２横桟を有し、前記第１横桟は、その左端部で前記左サイド支持フレームに片持ち梁状に支持され、前記第２横桟は、その右端部で前記右サイド支持フレームに片持ち梁状に支持され、前記胸部受け片は、その右端部で前記第１横桟の右端部に支持され且つその左端部で前記第２横桟の左端部に支持され、前記歪みゲージが前記第１横桟及び前記第２横桟にそれぞれ取り付けられている前項１２記載の生体情報計測装置用ベッド。
【００３２】
［２１］  被験者が横臥するためのベッドを用い、前記ベッドの寝床面を構成する寝床面構成部材上に横臥する被験者の生体活動により生じる前記寝床面構成部材の振動を、該寝床面構成部材の一部に取り付けられた歪みゲージにより検出し、前記歪みゲージからの出力信号に基づいて被験者の生体情報を計測することを特徴とする生体情報計測方法。
【００３３】
［２２］  前記歪みゲージが、前記寝床面構成部材の、被験者の胸部を含む胸周辺部に対応する部位に取り付けられている前項２１記載の生体情報計測方法。
【００３４】
［２３］  前記歪みゲージが、前記寝床面構成部材の上下両面の互いに対向する位置に、二対以上取り付けられており、前記二対以上の歪みゲージが電気的に接続されて形成されたブリッジ回路からの出力信号に基づいて被験者の生体情報を計測する前項２１又は２２記載の生体情報計測方法。
【００３５】
［２４］  前記寝床面構成部材は、その長さ方向に複数個に分割されており、前記歪みゲージが、前記寝床面構成部材の、被験者の上半身を受ける上半身受け体に取り付けられている前項２１〜２３のいずれか１項記載の生体情報計測方法。
【００３６】
［２５］  前記ベッドは、前記上半身受け体を支持する支持部材を有し、前記上半身受け体の少なくとも一部が前記支持部材に片持ち梁状に支持され、前記歪みゲージが前記上半身受け体の片持ち梁部に取り付けられている前項２４記載の生体情報計測方法。
【００３７】
［２６］  前記歪みゲージからの出力信号に基づいて被験者の生体情報を演算手段により演算し、前記演算手段により演算された生体情報を表示手段により表示する前項２１〜２５のいずれか１項記載の生体情報計測方法。
【００３８】
［２７］  前記演算手段により演算された生体情報を通信手段により送信する前項２６記載の生体情報計測方法。
【００３９】
［２８］  前記演算手段により演算された生体情報に基づいて警報を警報手段により発する前項２６又は２７記載の生体情報計測方法。
【００４０】
［２９］  被験者が横臥するためのベッドを備え、前記ベッドの、被験者を受ける寝床面を構成する寝床面構成部材の一部には、被験者の生体活動により生じる前記寝床面構成部材の振動を検出する歪みゲージが取り付けられており、更に、前記歪みゲージからの出力信号に基づいて被験者の生体情報を演算する演算手段と、前記演算手段により演算された生体情報を送信する通信手段と、前記演算手段により演算された生体情報を表示する表示手段と、前記演算手段により演算された生体情報に基づいて警報を発する警報手段とを備えていることを特徴とする生体活動監視システム。
【００４１】
次に、上記各項の発明を以下に説明する。
【００４２】
［１］の発明に係る生体情報計測装置では、ベッドの寝床面構成部材の一部に歪みゲージが取り付けられているので、被験者の様々な生体活動のうち特に呼吸や心拍に起因する振動を確実に検出することができる。したがって、被験者の呼吸情報や心拍情報を精度良く計測することができる。
【００４３】
さらに、ベッドの設置時に厳格なアライメント作業を行う必要がなくなり、そのためベッドの設置作業を容易に行うことができる。
【００４４】
さらに、仮にベッドの周囲を人が歩行した場合であっても、ベッドを設置した床面の振動による検出精度の低下を防止することができる。
【００４５】
さらに、振動伝達の時間差が殆どないので、生体情報の計測値の信頼性が向上する。
【００４６】
さらに、寝床面構成部材の、被験者の上半身を受ける上半身受け体を水平面に対して所定の角度に起こした状態でも、被験者の生体情報を計測することができる。
【００４７】
もとより、ベッドの剛性を高める必要がないので、ベッドの軽量化を図ることができる。
【００４８】
なお、本発明において、被験者の生体活動には、呼吸、心拍（拍動）、体動（例：寝返り）等が挙げられる。
【００４９】
また、ベッドとしては、被験者が睡眠するために用いられるベッドをはじめ、その他に、診察台、検査台、ストレッチャー等が挙げられる。
【００５０】
また、歪みゲージの寝床面構成部材への取付け手段としては、例えば、接着剤による貼付けや、カシメ、ネジ、リベット、溶接等の機械的接合手段が挙げられる。
【００５１】
また、本発明では、被験者の生体情報は、歪みゲージからの出力信号だけに基づいて計測されるものとなされていても良いことはもとより、歪みゲージからの出力信号と当該歪みゲージ以外のセンサからの信号とに基づいて計測されるものとなされていても良い。
【００５２】
［２］の発明では、歪みゲージが、寝床面構成部材の、被験者の胸部を含む胸周辺部に対応する部位に取り付けられているので、被験者の呼吸や心拍に起因する振動を更に確実に検出することができる。したがって、被験者の呼吸情報や心拍情報を更に精度良く計測することができる。
【００５３】
［３］の発明では、被験者の生体情報は、二対以上の歪みゲージが電気的に接続されて形成されたブリッジ回路からの出力信号に基づいて計測されるものとなされているので、寝床面構成部材の微細な振動を確実に検出することができる。したがって、被験者の呼吸情報や心拍情報を更に精度良く計測することができる。
【００５４】
［４］の発明では、歪みゲージが寝床面構成部材の上半身受け体に取り付けられているので、上記［２］の発明と同様に、被験者の呼吸や心拍に起因する振動を更に確実に検出することができる。したがって、被験者の呼吸情報や心拍情報を更に精度良く計測することができる。
【００５５】
［５］の発明では、上半身受け体の少なくとも一部が片持ち梁状に支持されることにより、上半身受け体の片持ち梁部が敏感に振動するようになる。そして、この片持ち梁部に歪みゲージが取り付けられることにより、被験者の呼吸や心拍に起因する振動を更に確実に検出することができる。したがって、被験者の呼吸情報や心拍情報を更に精度良く計測することができる。
【００５６】
［６］の発明では、生体情報計測装置は所定の演算手段と所定の表示手段を備えているので、被験者の生体情報を確実に演算することができるし、被験者の生体情報を確実に表示することができる。
【００５７】
［７］の発明では、生体情報計測装置は所定の通信手段を備えているので、被験者の生体情報を遠隔地で計測することができる。なお通信手段として、電話、インターネット、無線若しくは有線ＬＡＮ等が挙げられる。
【００５８】
［８］の発明では、生体情報計測装置は所定の警報手段を備えているので、被験者の状態が想定している範囲外となった場合に看護師、介護者、監視者等に警報で知らせることができる。
【００５９】
［９］の発明に係るベッドでは、該ベッドを上記［１］の発明に係る生体情報計測装置用のベッドとして用いることにより、上記［１］の発明と同様の効果を奏する。
【００６０】
［１０］の発明では、上記［２］の発明と同様の効果を奏する。
【００６１】
［１１］の発明では、上記［３］の発明と同様の効果を奏する。
【００６２】
［１２］の発明では、上記［４］の発明と同様の効果を奏する。
【００６３】
［１３］の発明では、上記［５］の発明を同様の効果を奏する。
【００６４】
［１４］の発明では、上半身受け体がその左右方向中間部で中央支持フレームに支持されるとともに、該上半身受け体の左右両端が自由端とされていることにより、上半身受け体の左半部と右半部とが中央支持フレームにそれぞれ片持ち梁状に支持されることとなる。その結果、上半身受け体の左半部と右半部がそれぞれ敏感に振動するようになる。そして、この左半部と右半部にそれぞれ歪みゲージが取り付けられることにより、被験者の呼吸や心拍に起因する振動を更に確実に計測することができる。したがって、被験者の呼吸情報や心拍情報を更に精度良く計測することができる。
【００６５】
さらに、歪みゲージが上半身受け体の左半部と右半部にそれぞれ取り付けられているから、ベッド上における被験者の就寝位置等の横臥位置を検出することができる。
【００６６】
［１５］の発明では、上半身受け体が左半片と右半片とに分割されている。そして、左半片の少なくとも一部がその左端部で左サイド支持フレームに片持ち梁状に支持されることにより、この左半片の片持ち梁部が敏感に振動するようになる。また、右半片の少なくとも一部がその右端部で右サイド支持フレームに片持ち梁状に支持されることにより、この右半片の片持ち梁部が敏感に振動するようになる。そして、左右両半片の片持ち梁部にそれぞれ歪みゲージが取り付けられることにより、被験者の呼吸や心拍に起因する振動を更に確実に検出することができる。したがって、被験者の呼吸情報や心拍情報を更に精度良く計測することができる。
【００６７】
さらに、歪みゲージが左右両半片の片持ち梁部にそれぞれ取り付けられているから、ベッド上における被験者の横臥位置を検出することができる。
【００６８】
［１６］の発明では、上半身受け体の胸部受け片が左半片と右半片とに分割されている。そして、左半片がその右端部で中央支持フレームに片持ち梁状に支持されることにより、この左半片が敏感に振動するようになる。また、右半片がその左端部で中央支持フレームに片持ち梁状に支持されることにより、この右半片が敏感に振動するようになる。そして、左右両半片にそれぞれ歪みゲージが取り付けられることにより、被験者の呼吸や心拍に起因する振動を更に確実に検出することができる。したがって、被験者の呼吸情報や心拍情報を更に精度良く計測することができる。
【００６９】
さらに、歪みゲージが左右両半片にそれぞれ取り付けられているから、ベッド上における被験者の横臥位置を検出することができる。
【００７０】
［１７］の発明では、上半身受け体の第１横桟がその左端部で左サイド支持フレームに片持ち梁状に支持されることにより、この第１横桟が敏感に振動するようになる。また、第２横桟がその右端部で右サイド支持フレームに片持ち梁状に支持されることにより、この第２横桟が敏感に振動するようになる。そして、第１横桟及び第２横桟に歪みゲージがそれぞれ取り付けられることにより、被験者の呼吸や心拍に起因する振動を更に確実に検出することができる。したがって、被験者の呼吸情報や心拍情報を更に精度良く計測することができる。
【００７１】
さらに、歪みゲージが第１横桟及び第２横桟にそれぞれ取り付けられているから、ベッド上における被験者の横臥位置を検出することができる。
【００７２】
［１８］の発明では、上半身受け体の横桟は、所定の中間片と左連結片と右連結片とに分割されている。そして、左連結片がその左端部で左サイド支持フレームに支持されるとともに、該左連結片の右端部が中間片の左端部に連結され、更に、右連結片がその右端部で右サイド支持フレームに支持されるとともに、該右連結片の左端部が中間片の右端部に連結されている。そして、左右両連結片の左右方向中間部にそれぞれ歪みゲージが取り付けられることにより、被験者の呼吸や心拍に起因する振動を更に確実に検出することができる。したがって、被験者の呼吸情報や心拍情報を更に精度良く計測することができる。
【００７３】
さらに、歪みゲージが左右両連結片の左右方向中間部にそれぞれ取り付けられているから、ベッド上における被験者の横臥位置を検出することができる。
【００７４】
［１９］の発明では、横桟の中間片が中空材からなることにより、中間片が敏感に振動するようになる。そのため、被験者の呼吸や心拍に起因する振動をより一層確実に検出することができる。したがって、被験者の呼吸情報や心拍情報をより一層精度良く計測することができる。また、ベッドの更なる軽量化を図ることができる。
【００７５】
［２０］の発明では、上半身受け体の胸部受け片は、所定の二個の第１横桟及び第２横桟を有している。そして、第１横桟がその左端部で左サイド支持フレームに片持ち梁状に支持されることにより、この第１横桟が敏感に振動するようになる。また、第２横桟がその右端部で右サイド支持フレームに片持ち梁状に支持されることにより、この第２横桟が敏感に振動するようになる。さらに、胸部受け片がその右端部で第１横桟の右端部（即ち先端部）に支持され且つその左端部で第２横桟の左端部（即ち先端部）に支持されることにより、胸部受け片、第１横桟及び第２横桟がいずれも敏感に振動するようになる。そして、第１横桟及び第２横桟にそれぞれ歪みゲージが取り付けられることにより、被験者の呼吸や心拍に起因する振動をより一層確実に検出することができる。したがって、被験者の呼吸情報や心拍情報をより一層精度良く計測することができる。
【００７６】
さらに、歪みゲージが第１横桟及び第２横桟にそれぞれ取り付けられているから、ベッド上における被験者の横臥位置を検出することができる。
【００７７】
［２１］の発明に係る生体情報計測方法では、上記［１］の発明と同様に、被験者の様々な生体活動のうち特に呼吸や心拍に起因する振動を確実に検出することができる。したがって、被験者の呼吸情報や心拍情報を精度良く計測することができる。
【００７８】
さらに、ベッドの設置時に厳格なアライメント作業を行う必要がなくなり、そのためベッドの設置作業を容易に行うことができる。
【００７９】
さらに、仮にベッドの周囲を人が歩行した場合であっても、ベッドを設置した床面の振動による検出精度の低下を防止することができる。
【００８０】
さらに、振動伝達の時間差が殆どないので、生体情報の計測値の信頼性が向上する。
【００８１】
さらに、寝床面構成部材の、被験者の上半身を受ける上半身受け体を水平面に対して所定の角度に起こした状態でも、被験者の生体情報を計測することができる。
【００８２】
もとより、ベッドの剛性を高める必要がないので、ベッドの軽量化を図ることができる。
【００８３】
［２２］の発明では、上記［２］の発明と同様に、被験者の呼吸や心拍に起因する振動を更に確実に検出することができる。したがって、被験者の呼吸情報や心拍情報を更に精度良く計測することができる。
【００８４】
［２３］の発明では、上記［３］の発明と同様に、寝床面構成部材の微細な振動を確実に検出することができる。したがって、被験者の呼吸情報や心拍情報を更に精度良く計測することができる。
【００８５】
［２４］の発明では、上記［４］の発明と同様に、被験者の呼吸や心拍に起因する振動を更に確実に検出することができる。したがって、被験者の呼吸情報や心拍情報を更に精度良く計測することができる。
【００８６】
［２５］の発明では、上記［５］の発明と同様に、被験者の呼吸や心拍に起因する振動を更に確実に検出することができる。したがって、被験者の呼吸情報や心拍情報を更に精度良く計測することができる。
【００８７】
［２６］の発明では、上記［６］の発明と同様に、被験者の生体情報を確実に演算することができるし、被験者の生体情報を確実に表示することができる。
【００８８】
［２７］の発明では、上記［７］の発明と同様に、被験者の生体情報を遠隔地で計測することができる。
【００８９】
［２８］の発明では、上記［８］の発明と同様に、被験者の状態が想定している範囲外となった場合に看護師、介護者、監視者等に警報で知らせることができる。
【００９０】
［２９］の発明では、生体活動監視システムは、所定のベッドと所定の演算手段と所定の通信手段と所定の表示手段と所定の警報手段とを備えているので、被験者の様々な生体活動のうち特に呼吸や心拍の状況についてより確実に監視することができる。
【発明の効果】
【００９１】
本発明は以下の効果を奏する。
【００９２】
［１］の発明に係る生体情報計測装置では、被験者の様々な生体活動のうち特に呼吸や心拍に起因する振動を確実に検出することができる。したがって、被験者の呼吸情報や心拍情報を精度良く計測することができる。
【００９３】
さらに、ベッドの設置時に厳格なアライメント作業を行う必要がなくなり、そのためベッドの設置作業を容易に行うことができる。
【００９４】
さらに、仮にベッドの周囲を人が歩行した場合であっても、ベッドを設置した床面の振動による検出精度の低下を防止することができる。
【００９５】
さらに、振動伝達の時間差が殆どないので、生体情報の計測値の信頼性が向上する。
【００９６】
さらに、寝床面構成部材の、被験者の上半身を受ける上半身受け体を水平面に対して所定の角度に起こした状態でも、被験者の生体情報を計測することができる。
【００９７】
もとより、ベッドの剛性を高める必要がないので、ベッドの軽量化を図ることができる。
【００９８】
［２］の発明では、被験者の呼吸や心拍に起因する振動を更に確実に検出することができる。したがって、被験者の呼吸情報や心拍情報を更に精度良く計測することができる。
【００９９】
［３］の発明では、寝床面構成部材の微細な振動を確実に検出することができる。したがって、被験者の呼吸情報や心拍情報を更に精度良く計測することができる。
【０１００】
［４］の発明では、上記［２］の発明と同様に、被験者の呼吸及び心拍に起因する振動を更に確実に検出することができる。したがって、被験者の呼吸情報や心拍情報を更に精度良く計測することができる。
【０１０１】
［５］の発明では、被験者の呼吸や心拍に起因する振動を更に確実に検出することができる。したがって、被験者の呼吸情報や心拍情報を更に精度良く計測することができる。
【０１０２】
［６］の発明では、被験者の生体情報を確実に演算することができるし、被験者の生体情報を確実に表示することができる。
【０１０３】
［７］の発明では、被験者の生体情報を遠隔地で計測することができる。
【０１０４】
［８］の発明では、被験者の状態が想定している範囲外となった場合に看護師、介護者、監視者等に警報で知らせることができる。
【０１０５】
［９］の発明に係るベッドでは、このベッドを生体情報計測装置における被験者が就寝するためのベッドに用いることにより、上記［１］の発明と同様の効果を奏する。
【０１０６】
［１０］の発明では、上記［２］の発明と同様の効果を奏する。
【０１０７】
［１１］の発明では、上記［３］の発明と同様の効果を奏する。
【０１０８】
［１２］の発明では、上記［４］の発明と同様の効果を奏する。
【０１０９】
［１３］の発明では、上記［５］の発明と同様の効果を奏する。
【０１１０】
［１４］の発明では、被験者の呼吸や心拍に起因する振動を更に確実に計測することができる。したがって、被験者の呼吸情報や心拍情報を更に精度良く計測することができる。さらに、ベッド上における被験者の横臥位置を検出することができる。
【０１１１】
［１５］の発明では、被験者の呼吸や心拍に起因する振動を更に確実に検出することができる。したがって、被験者の呼吸情報や心拍情報を更に精度良く計測することができる。さらに、ベッド上における被験者の横臥位置を検出することができる。
【０１１２】
［１６］の発明では、被験者の呼吸や心拍に起因する振動を更に確実に検出することができる。したがって、被験者の呼吸情報や心拍情報を更に精度良く計測することができる。さらに、ベッド上における被験者の横臥位置を検出することができる。
【０１１３】
［１７］の発明では、被験者の呼吸や心拍に起因する振動を更に確実に検出することができる。したがって、被験者の呼吸情報や心拍情報を更に精度良く計測することができる。さらに、ベッド上における被験者の横臥位置を検出することができる。
【０１１４】
［１８］の発明では、被験者の呼吸や心拍に起因する振動を更に確実に検出することができる。したがって、被験者の呼吸情報や心拍情報を更に精度良く計測することができる。さらに、ベッド上における被験者の横臥位置を検出することができる。
［１９］の発明では、被験者の呼吸や心拍に起因する振動をより一層確実に検出することができる。したがって、被験者の呼吸情報や心拍情報をより一層精度良く計測することができる。また、ベッドの更なる軽量化を図ることができる。
【０１１５】
［２０］の発明では、被験者の呼吸や心拍に起因する振動をより一層確実に検出することができる。したがって、被験者の呼吸情報や心拍情報をより一層精度良く計測することができる。さらに、ベッド上における被験者の横臥位置を検出することができる。
【０１１６】
［２１］の発明に係る生体情報計測方法では、上記［１］の発明と同様の効果を奏する。
【０１１７】
［２２］の発明では、上記［２］の発明と同様の効果を奏する。
【０１１８】
［２３］の発明では、上記［３］の発明と同様の効果を奏する。
【０１１９】
［２４］の発明では、上記［４］の発明と同様の効果を奏する。
【０１２０】
［２５］の発明では、上記［５］の発明と同様の効果を奏する。
【０１２１】
［２６］の発明では、上記［６］の発明と同様の効果を奏する。
【０１２２】
［２７］の発明では、上記［７］の発明と同様の効果を奏する。
【０１２３】
［２８］の発明では、上記［８］の発明と同様の効果を奏する。
【０１２４】
［２９］の発明に係る生体活動監視システムでは、被験者の様々な生体活動のうち特に呼吸や心拍の状況についてより確実に監視することができる。
【発明を実施するための最良の形態】
【０１２５】
次に、本発明の幾つかの実施形態を説明する。
【０１２６】
図１〜図６は、本発明の第１実施形態に係る生体情報計測装置（A1）を説明するための図である。
【０１２７】
本第１実施形態の生体情報計測装置（A1）は、ベッド（１）上に横臥した被験者の生体情報を計測するためのものであり、具体的には、被験者の主に就寝中の生体情報（呼吸情報、心拍情報、体動情報等）を計測するためのもので、医療施設、介護施設、一般家庭等で用いられるものである。被験者として、健康人、病人、乳幼児、高齢者等を挙げることができる。この装置（A1）は、図１に示すように、被験者（図示せず）が就寝（即ち横臥）するためのベッド（１）を備えている。
【０１２８】
ベッド（１）は、被験者を受ける寝床面を構成する寝床面構成部材（２）を有している。被験者は、この寝床面構成部材（２）上にマット（図示せず）を敷いて就寝（即ち横臥）する。
【０１２９】
この寝床面構成部材（２）は、キャスター（13a）付きのベースフレーム（13）に昇降装置（14）を介して取り付けられている。そして、昇降装置（14）を昇降作動させることにより、寝床面構成部材（２）の高さ位置を調節できるものとなされている。
【０１３０】
この寝床面構成部材（２）は、その長さ方向に複数個に分割されている。詳述すると、この寝床面構成部材（２）は、被験者の上半身を受ける上半身受け体（３）と、被験者の臀部を受ける臀部受け体（４）と、被験者の脚部を受ける脚部受け体（５）とに分割されている。上半身受け体（３）、臀部受け体（４）及び脚部受け体（５）は、それぞれ被験者の上半身、臀部及び脚部に対応する位置に配置される。
【０１３１】
なお、このベッド（１）はギャッチベッドであり、したがって寝床面構成部材（２）の上半身受け体（３）を図１に示すように水平面に対して所定の角度に起こすことができるようになっている。
【０１３２】
寝床面構成部材（２）の上半身受け体（３）、臀部受け体（４）及び脚部受け体（５）は、いずれも、板材（詳述すると平板材）からなり、またアルミニウム（その合金を含む。以下同じ。）製である。また、上半身受け体（３）は平面視略四角形状に形成されている。
【０１３３】
なお本発明では、上半身受け体（３）、臀部受け体（４）及び脚部受け体（５）の材質は、アルミニウムに限定されるものではなく、例えば、アルミニウム以外の金属であっても良いし、プラスチックであっても良い。また、上半身受け体（３）、臀部受け体（４）及び脚部受け体（５）は、押出材や圧延材からなるものであっても良い。
【０１３４】
さらに、このベッド（１）は、図２（Ａ）に示すように上半身受け体（３）を支持する支持部材（19）を有している。この支持部材（19）は上半身受け体（３）の下側に配置されている。
【０１３５】
本第１実施形態では、このベッド（１）は、支持部材（19）として、上半身受け体（３）の左右方向（即ち幅方向）中間部の下側に配置され且つ上半身受け体（３）の長さ方向に延びた中央支持フレーム（６）と、上半身受け体（３）の左右方向両側部の下側に配置され且つ上半身受け体（３）の長さ方向に延びた左右一対の左サイド支持フレーム（7L）及び右サイド支持フレーム（7R）と、上半身受け体（３）の長さ方向両端部の下側に配置され且つ上半身受け体（３）の左右方向に延びた一対のエンド支持フレーム（８）（８）とを有している。そして、左サイド支持フレーム（7L）、右サイド支持フレーム（7R）及び両エンド支持フレーム（８）（８）が平面視略ロ字状に組み付けられている。各フレームはアルミニウム等の金属製である。
【０１３６】
中央支持フレーム（６）は、両エンド支持フレーム（８）（８）の左右方向中間部の上面に溶接等により固定されて取り付けられている。（９）は補強フレームである。この補強フレーム（９）は、左サイド支持フレーム（7L）及び右サイド支持フレーム（7R）の下面に溶接等により固定されて設けられている。
【０１３７】
両エンド支持フレーム（８）（８）のうち被験者の腰部側に配置されたフレーム（８）と補強フレーム（９）とは、軸フレーム（15）から突出した左右一対の可動アーム（16）（16）に溶接等により固定されて取り付けられている。そして、軸フレーム（15）が回転駆動することにより可動アーム（16）が軸フレーム（15）を中心に回転し、これにより、上半身受け体（３）が水平面に対して所定の角度に起こされるものとなされている。なお、（17）は、軸フレーム（15）を回転自在に支持した軸受けアームである。
【０１３８】
上半身受け体（３）は、その左右方向中間部で中央支持フレーム（６）に溶接等により固定されて支持されている。さらに、該上半身受け体（３）の左右両端は、図２（Ｂ）に示すように左サイド支持フレーム（7L）及び右サイド支持フレーム（7R）から上側に離間して配置されており、すなわち自由端とされている。さらに、該上半身受け体（３）の長さ方向両端は、両エンド支持フレーム（８）（８）から上側に離間して配置されている。したがって、上半身受け体（３）は中央支持フレーム（６）だけで支持されている。換言すると、上半身受け体（３）の中央支持フレーム（６）による支持位置に対して左側に位置する左半部（21）と右側に位置する右半部（22）は、中央支持フレーム（６）にそれぞれ片持ち梁状に支持されている。したがって、上半身受け体（３）の左半部（21）と右半部（22）がそれぞれ上半身受け体（３）の片持ち梁部（29）とされている。
【０１３９】
なお本発明では、上半身受け体（３）は中央支持フレーム（６）に溶接の他に締結部材（例：ボルト−ナット、リベット）等により固定されていても良い。
【０１４０】
ここで、本明細書では、説明の便宜上、被験者の腰部から肩部までの部位を「被験者の胸部を含む胸周辺部」という。
【０１４１】
上半身受け体（３）の左半部（21）の、被験者の胸部を含む胸周辺部に対応する部位において、該部位の中央支持フレーム（６）による支持位置の近傍部の上下両面の互いに対向する位置に、歪みゲージ（40a）（40a）（40b）（40b）が二対、直接貼り付けられて取り付けられている。この二対（即ち四個）の歪みゲージ（40a）（40a）（40b）（40b）を、説明の便宜上「左歪みゲージ群（40L）」という。なお、歪みゲージ（40a）（40b）は例えば接着剤によって所定の部位に貼り付けられている。
【０１４２】
左歪みゲージ群（40L）において、二対の歪みゲージ（40a）（40a）（40b）（40b）のうち、左半部（21）の上面に貼り付けられた二個の歪みゲージ（40a）（40a）には、上半身受け体（３）が被験者の上半身を受けて歪む（撓む）ことによって、引張力が作用する。一方、左半部（21）の下面に貼り付けられた二個の歪みゲージ（40b）（40b）には、圧縮力が作用する。二対の歪みゲージ（40a）（40a）（40b）（40b）は、図３に示すように電気的に接続されることによって、ブリッジ回路（41）（ホイートストンブリッジ回路）が形成されている。
【０１４３】
同様に、上半身受け体（３）の右半部（22）の、被験者の胸部を含む胸周辺部に対応する部位において、該部位の中央支持フレーム（６）による支持位置の近傍部の上下両面の互いに対向する位置に、歪みゲージ（40a）（40a）（40b）（40b）が二対、直接貼り付けられて取り付けられている。この二対の歪みゲージ（40a）（40a）（40b）（40b）を、説明の便宜上「右歪みゲージ群（40R）」という。
【０１４４】
右歪みゲージ群（40R）において、二対の歪みゲージ（40a）（40a）（40b）（40b）は、左歪みゲージ群（40L）と同様に図２に示すように電気的に接続されることによって、ブリッジ回路（41）が形成されている。
【０１４５】
歪みゲージ（40a）（40ｂ）は、被験者の呼吸、心拍（拍動）、体動（例：寝返り）等の生体活動により生じる上半身受け体（３）の振動を検出するためのものである。さらに、本第１実施形態では、歪みゲージ（40a）（40b）は、上半身受け体（３）が被験者を受けることにより生じる上半身受け体（３）の歪み量（撓み量）も検出するものとなされている。一方、歪みゲージ（40a）（40b）が貼り付けられた上半身受け体（３）の左半片（21）及び右半片（22）は、起歪体として機能する。
【０１４６】
歪みゲージ（40a）（40b）からの出力信号としての出力電圧は、被験者の生体情報の計測に用いられる。本第１実施形態では、二対の歪みゲージ（40a）（40a）（40b）（40b）が電気的に接続されてブリッジ回路（41）が形成されていることから、このブリッジ回路（41）からの出力信号としての出力電圧が被験者の生体情報の計測に用いられることとなる。
【０１４７】
なお本発明では、歪みゲージ（40a）（40b）の種類は限定されるものではなく、歪みゲージ（40a）（40b）として、例えば、抵抗線歪みゲージ、箔歪みゲージ及び半導体歪みゲージが用いられる。
【０１４８】
さらに、この生体情報計測装置（A1）は、図１に示すように、演算手段（50）と表示手段（55）と通信手段（56）と警報手段（57）とを備えている。
【０１４９】
演算手段（50）は、歪みゲージ（40a）（40b）からの出力信号（出力電圧）に基づいて被験者の生体情報を演算するためのものである。本第１実施形態では、二対の歪みゲージ（40a）（40a）（40b）（40b）が電気的に接続されてブリッジ回路（41）が形成されていることから、演算手段（50）は、図４に示すように、ブリッジ回路（41）からの出力信号（出力電圧）に基づいて被験者の生体情報を演算することになる。なお、図１において（59）は、ブリッジ回路（41）からの出力信号（出力電圧）を演算手段（50）に伝達する信号線である。
【０１５０】
表示手段（55）は、演算手段（50）により演算された被験者の生体情報等を表示するためのものである。
【０１５１】
通信手段（56）は、演算手段（50）により演算された被験者の生体情報等を遠隔地に送信するためのものである。
【０１５２】
警報手段（57）は、演算手段（50）により演算された被験者の生体情報等に基づいて警報を発するためのものである。
【０１５３】
なお、表示手段（55）は、通信手段（56）により遠隔地に送信された被験者の生体情報等を表示するものとなされていてもよいし、また、警報手段（57）は、通信手段（56）により遠隔地に送信された被験者の生体情報等に基づいて警報を発するものとなされていてもよいことはもちろんである。
【０１５４】
而して、演算手段（50）では、図４に示すように、ブリッジ回路（41）からの出力信号（出力電圧）が増幅部（51）において増幅されたのち、Ａ／Ｄ変換部（アナログ／デジタル変換部）（52）においてデジタル信号に変換される。そして、このデジタル信号がコンピュータ等からなる中央演算処理部（53）に送信される。中央演算処理部（53）では、このデジタル信号に基づいて所定のプログラムに従って被験者の呼吸情報、心拍情報、体動情報等の生体情報についての演算が行われる。この演算は、公知の方法、例えばＦＦＴ法による周波数解析により行われる。
【０１５５】
さらに、この中央演算処理部（53）では、ベッド（１）の寝床面構成部材（２）上における被験者の横臥位置として就寝位置についての演算が行われる。この演算方法について簡単に説明すると、例えば、この中央演算処理部（53）では、左歪みゲージ群（40L）の歪みゲージで組まれたブリッジ回路（41）からの出力信号（出力電圧）と、右歪みゲージ群（40R）の歪みゲージで組まれたブリッジ回路（41）からの出力信号（出力電圧）とを所定の計算式を用いて比較し、その比較結果に基づいてベッド（１）の寝床面構成部材（２）上における被験者の就寝位置についての演算が行われる。
【０１５６】
さらに、この中央演算処理部（53）では、被験者の着床・離床情報についての演算が行われる。
【０１５７】
表示手段（55）では、演算手段（50）により演算された被験者の生体情報（呼吸情報、心拍情報、体動情報等）、就寝位置情報、着床・離床情報などが、所定のモニタテレビ等のディスプレイ上にリアルタイムで表示される。
【０１５８】
通信手段（56）では、演算手段（50）により演算された被験者の生体情報、就寝位置情報、着床・離床情報などが、電話回線網、インターネット、有線ＬＡＮ、無線ＬＡＮ等の所定の有線通信網又は無線通信網を介して看護センター等の監視室に送信される。
【０１５９】
警報手段（57）では、演算手段（50）により演算された被験者の生体情報、就寝位置情報、着床・離床情報などが所定の範囲から外れた場合に警報が看護師、被験者、監視者等に対して発せられる。
【０１６０】
図６は、本第１実施形態の生体情報計測装置（A1）により被験者の生体情報を実際に計測した場合の、ブリッジ回路（41）からの出力信号の一実測例を示す図（グラフ）である。
【０１６１】
同図では、ブリッジ回路（41）からの出力信号は波形として表されている。この出力波形には、被験者の呼吸に起因する呼吸波成分と、被験者の心拍（拍動）に起因する心拍波成分とが重畳されている。波長が長くて連続するうねり状の波が呼吸波成分であり、パルス状の波が心拍波成分である。この出力波形では、呼吸周期が約３〜４秒であり、心拍周期が約１秒である。
【０１６２】
同図に示すように、本第１実施形態の生体情報計測装置（A1）によれば、呼吸波成分と心拍波成分を明確に観測することができ、したがって呼吸情報（呼吸数等）と心拍情報（心拍数等）を精度良く計測することができる。
【０１６３】
次に、演算手段（50）の中央演算処理部（53）で実行される処理について、図４及び図５を参照して以下に説明する。
【０１６４】
なお、演算手段（50）には、ベッド（１）の寝床面構成部材（２）上における被験者の好適な就寝位置が予め設定されており、また、被験者の呼吸数、心拍数及び体動数の好適な範囲が予め設定されている。
【０１６５】
二つのブリッジ回路（41）（41）からの出力信号は、上述したように、増幅部（51）において増幅されたのち、Ａ／Ｄ変換部（52）においてデジタル信号に変換される。そして、このデジタル信号が中央演算処理部（53）に送信される。
【０１６６】
中央演算処理部（53）において、ステップ（Ｓ１）では、送信された二つの信号を読み取る。読み取った信号はデータとしてデータベース（DB）に蓄積される（図４参照）。なお、読み取った信号を通信手段（56）により遠隔地に送信してデータとしてデータベース（DB）に集中蓄積しても良い。そして、データベース（DB）から被験者のデータ群をパターン化する。例えば、データベース（DB）に蓄積されたデータについて、被験者が正常なときのデータ群、被験者が過去に問題を起こしたときのデータ群などに予めパターン化しておく。なお、被験者が過去に問題を起こしたときのデータ群のパターンを学習してデータベース（DB）に登録蓄積しても良い。そして、判定手段（70）において、被験者の測定されたデータ群と予めパターン化したデータ群（正常時、問題時）とを比較することにより、被験者の状況を判定する。また、このデータベース（DB）に他の複数の被験者のデータを蓄積しても良い。こうすることにより、他人のパターンと比較することができて、判定手段（70）において、被験者が経験していない問題についても他人の過去のパターンから判定することができる。さらに、同図に示すように、他の複数の被験者がそれぞれ就寝（横臥）している他の複数の生体情報計測装置用ベッド（１）からの信号が、通信手段（56）によりＬＡＮやインターネット等を介して送信されてデータベース（DB）にデータとして蓄積されるものとなされていても良い。こうすることにより、データベース（DB）に蓄積されたパターン化したデータを共有化することができる。次いで、ステップ（Ｓ２）に進む。
【０１６７】
ステップ（Ｓ２）では、読み取った二つの信号を比較し、その比較結果に基づいてベッド（１）の寝床面構成部材（２）上における被験者の就寝位置についての解析を行う。次いで、ステップ（Ｓ３）に進む。
【０１６８】
ステップ（Ｓ３）では、被験者の就寝位置が寝床面構成部材（２）上の所定位置であるか否かについての判定を行う。就寝位置が所定位置ではない（例えば、就寝位置が寝床面構成部材（２）上の端部である）と判定された場合には、「Ｎｏ」として、ステップ（Ｓ１１）に進み、警報を発する。この警報をもとに被験者のベッド（１）からの落下防止のための処置を行うことができる。一方、就寝位置が所定位置である（例えば、就寝位置が寝床面構成部材（２）上の中央部である）と判定された場合には、「Ｙｅｓ」として、次のステップ（Ｓ４）に進む。
【０１６９】
ステップ（Ｓ４）では、ＦＦＴ法などの公知の方法により周波数の解析を行う。次いで、ステップ（Ｓ５）に進む。
【０１７０】
ステップ（Ｓ５）では、解析された周波数から呼吸数の検出を行う。次いで、ステップ（Ｓ６）に進む。
【０１７１】
ステップ（Ｓ６）では、呼吸数が所定範囲内にあるか否かについての判定を行う。呼吸数が所定範囲から外れていると判定された場合には、「Ｎｏ」として、ステップ（Ｓ１１）に進み、警報を発する。一方、呼吸数が所定範囲内にあると判定された場合には、「Ｙｅｓ」として、次のステップ（Ｓ７）に進む。なお、本ステップ（Ｓ６）では、例えば、被験者の生死、睡眠状態、睡眠時無呼吸症候群等の状態の情報を得ることができる。
【０１７２】
ステップ（Ｓ７）では、解析された周波数から心拍数の検出を行う。次いで、ステップ（Ｓ８）に進む。
【０１７３】
ステップ（Ｓ８）では、心拍数が所定範囲内にあるか否かについての判定を行う。心拍数が所定範囲から外れていると判定された場合には、「Ｎｏ」として、ステップ（Ｓ１１）に進み、警報を発する。一方、心拍数が所定範囲内にあると判定された場合には、「Ｙｅｓ」として、次のステップ（Ｓ９）に進む。なお、本ステップ（Ｓ８）では、例えば、被験者の生死、睡眠状態等の状態の情報を得ることができる。
【０１７４】
ステップ（Ｓ９）では、解析された周波数から被験者の寝返り等の体動の検出を行う。次いで、ステップ（Ｓ１０）に進む。
【０１７５】
ステップ（Ｓ１０）では、寝返り数等の体動数が所定範囲内にあるか否かについての判定を行う。体動数が所定範囲から外れている（例えば、体動が所定一定時間殆どない）と判定された場合には、「Ｎｏ」として、ステップ（Ｓ１１）に進み、警報を発する。この警報をもとに褥瘡（じょくそう）の発生防止のための処置を行うことができる。一方、体動数が所定範囲内にある（例えば、体動が適度にある）と判定された場合には、「Ｙｅｓ」として、ステップ（Ｓ１）に戻る。
【０１７６】
また、本実施形態では、次のような処理を行っても良い。すなわち、判定手段（70）では、データベース（DB）に新たに送られてくるデータと、データベース（DB）に既に蓄積されたデータとを比較する。そして、その結果によりステップ（Ｓ１１）へ進み、警報を発する。またその結果はデータベース（DB）へ転送して蓄積される。
【０１７７】
而して、本第１実施形態の生体情報計測装置（A1）では、ベッド（１）の寝床面構成部材（２）の一部に歪みゲージ（40a）（40b）が貼り付けられているので、次の利点がある。
【０１７８】
被験者の様々な生体活動のうち特に呼吸や心拍に起因する寝床面構成部材（２）の振動を歪みゲージ（40a）（40b）によって確実に検出することができる。したがって、被験者の着床・離床情報や体動情報（例：寝返り情報）はもとより、従来の生体情報計測装置では計測が極めて困難であった、僅かな荷重変化しか伴わない生体情報、特に呼吸情報や心拍情報についても、精度良く計測することができる。
【０１７９】
さらに、ベッド（１）の設置時に厳格なアライメント作業を行う必要がなくなり、そのためベッド（１）の設置作業を容易に行うことができる。
【０１８０】
さらに、仮にベッド（１）の周囲を人が歩行した場合であっても、ベッド（１）を設置した床面の振動による検出精度の低下を防止することができる。
【０１８１】
さらに、振動伝達の時間差が殆どないので、生体情報の計測値の信頼性が向上する。
【０１８２】
さらに、寝床面構成部材（２）の上半身受け体（３）を水平面に対して所定の角度に起こした状態でも、被験者の生体情報を計測することができる。
【０１８３】
もとより、ベッド（１）の剛性を高める必要がないので、ベッド（１）の軽量化を図ることができる。
【０１８４】
また、上記第１実施形態の生体情報計測装置（A1）では、被験者の生体情報は、四個の歪みゲージ（40a）（40a）（40b）（40b）が電気的に接続されて形成されたブリッジ回路（41）からの出力信号に基づいて計測されるものとなされているので、寝床面構成部材（２）の微細な振動を確実に検出することができる。したがって、被験者の呼吸情報や心拍情報を更に精度良く計測することができる。
【０１８５】
また、歪みゲージ（40a）（40b）は、寝床面構成部材（２）の上半身受け体（３）、臀部受け体（４）及び脚部受け体（５）のうち上半身受け体（３）に貼り付けられているので、被験者の呼吸や心拍に起因する振動を更に確実に検出することができる。したがって、被験者の呼吸情報や心拍情報を更に精度良く計測することができる。
【０１８６】
また、生体情報計測装置（A1）は所定の演算装置（50）と所定の表示装置（55）を備えているので、被験者の生体情報を確実に演算することができるし、被験者の生体情報を確実に表示することができる。
【０１８７】
また、生体情報計測装置（A1）は所定の通信手段（56）を備えているので、被験者の生体情報を遠隔地で計測することができ、そのため被験者の就寝状態を遠隔地で監視することができる。
【０１８８】
また、生体情報計測装置（A1）は所定の警報手段（57）を備えているので、被験者の状態が想定している範囲外となった場合に看護師、介護者、監視者等に警報で知らせることができる。
【０１８９】
また、生体情報計測装置（A1）に用いられるベッド（１）においては、上半身受け体（３）の左半部（21）と右半部（22）がそれぞれ中央支持フレーム（６）に片持ち梁状に支持されているから、左半部（21）と右半部（22）がそれぞれ敏感に振動するようになる。そして、この左半部（21）と右半部（22）にそれぞれ歪みゲージ（40a）（40b）が貼り付けられているから、被験者の呼吸や心拍に起因する振動を更に確実に検出することができる。したがって、被験者の呼吸情報や心拍情報を更に精度良く計測することができる。
【０１９０】
さらに、歪みゲージ（40a）（40b）が上半身受け体（３）の左半部（21）と右半部（22）にそれぞれ貼り付けられているから、ベッド（１）上における被験者の就寝位置を検出することができる。
【０１９１】
なお、この生体情報計測装置（A1）によれば、ベッド（１）上に横臥した被験者の就寝中の生体情報を計測できるだけではなく、更に、覚醒状態（即ち目が覚めている状態）の被験者がベッド（１）上に横臥することにより、覚醒状態の被験者の生体情報を計測することができる。
【０１９２】
また、本第１実施形態の生体活動監視システムは、上記生体情報計測装置（A1）における上記ベッド（１）、演算手段（50）、表示手段（55）、通信手段（56）及び警報手段（57）を備えている。したがって、この監視システムによれば、被験者の体動、呼吸及び心拍の状況をより確実に監視することができるし、更に、離床・着床状況や、就寝位置状況についてもより確実に監視することができる。
【０１９３】
図７（Ａ）及び図７（Ｂ）は、本発明の第２実施形態に係る生体情報計測装置（A2）を説明するための図である。
【０１９４】
本第２実施形態の生体情報計測装置（A2）では、ベッド（１）は、上記第１実施形態と同じく、上半身受け体（３）を支持する支持部材（19）として、左右一対の左サイド支持フレーム（7L）及び右サイド支持フレーム（7R）と、一対のエンド支持フレーム（８）（８）とを有している。そして、これらのフレームが平面視略ロ字状に組み付けられている。さらに、ベッド（１）は、支持部材（19）として、上半身受け体（３）の長さ方向中間部の下側に配置され且つ上半身受け体（３）の左右方向に延びた中央横フレーム（10）を有している。この中央横フレーム（10）は両エンドフレーム（８）（８）に溶接等により固定されて設けられている。なお、ベッド（１）は中央支持フレーム（（６）、図２参照。）を有していない。
【０１９５】
上半身受け体（３）は、その左右方向中間部で左半片（23）と右半片（24）とに分割されている。左右両半片（23）（24）はともに平面視略四角形状で互いに略同一の大きさに形成されている。また、左右両半片（23）（24）間には隙間（Ｇ）が形成されている。
【０１９６】
左半片（23）は、その左端部で左サイド支持フレーム（7L）に溶接等により固定されて支持されている。さらに、該左半片（23）は、その長さ方向中間部で中央横フレーム（10）に支持されている。さらに、該左半片（23）は、その長さ方向両端部のうち被験者の頭部側に位置する端部で、対応するエンド支持フレーム（８）に溶接等により固定されて支持されている。一方、左半片（23）の長さ方向両端のうち被験者の腰部側に位置する端部は、対応するエンド支持フレーム（８）から上側に離間して配置されている。したがって、左半片（23）の中央横フレーム（10）による支持位置に対して被験者の腰部側に位置する部位（29）は、左サイド支持フレーム（7L）と中央横フレーム（10）とに片持ち梁状に支持されている。この部位（29）が左半片（23）の片持ち梁部である。なお、左半片（23）の片持ち梁部（29）は、被験者の胸部を含む胸周辺部に対応する部位である。
【０１９７】
右半片（24）は、その右端部で右サイド支持フレーム（7R）に溶接等により固定されて支持されている。さらに、該右半片（24）は、その長さ方向中間部で中央横フレーム（10）に支持されている。さらに、該右半片（24）は、その長さ方向両端部のうち被験者の頭部側に位置する端部で、対応するエンド支持フレーム（８）に溶接等により固定されて支持されている。一方、右半片（24）の長さ方向両端のうち被験者の腰部側に位置する端部は、対応するエンド支持フレーム（８）から上側に離間して配置されている。したがって、右半片（24）の中央横フレーム（10）による支持位置に対して被験者の腰部側に位置する部位（29）は、右サイド支持フレーム（7R）と中央横フレーム（10）とに片持ち梁状に支持されている。この部位（29）が右半片（24）の片持ち梁部である。なお、右半片（24）の片持ち梁部（29）は、被験者の胸部を含む胸周辺部に対応する部位である。
【０１９８】
また、左半片（23）の片持ち梁部（29）の左サイド支持フレーム（7L）による支持位置の近傍部の上下両面の互いに対向する位置に、歪みゲージ（40a）（40a）（40b）（40b）が二対、直接貼り付けられている。この二対の歪みゲージ（40a）（40a）（40b）（40b）を「左歪みゲージ群（40L）」という。二対の歪みゲージ（40a）（40a）（40b）（40b）は、図２に示すように電気的に接続されることによって、ブリッジ回路（41）が形成されている。これらの歪みゲージ（40a）（40a）（40b）（40b）が貼り付けられた左半片（23）の片持ち梁部（29）が起歪体として機能する。
【０１９９】
また、右半片（24）の片持ち梁部（29）の右サイド支持フレーム（7R）による支持位置の近傍部の上下両面の互いに対向する位置に、歪みゲージ（40a）（40a）（40b）（40b）が二対、直接貼り付けられている。この二対の歪みゲージ（40a）（40a）（40b）（40b）を「右歪みゲージ群（40R）」という。二対の歪みゲージ（40a）（40a）（40b）（40b）は、図２に示すように電気的に接続されることによって、ブリッジ回路（41）が形成されている。これらの歪みゲージ（40a）（40a）（40b）（40b）が貼り付けられた右半片（24）の片持ち梁部（29）が起歪体として機能する。
【０２００】
本第２実施形態の生体情報計測装置（A2）及び該装置（A2）に用いられるベッド（１）の他の構成、並びに生体情報計測方法は、上記第１実施形態と同じであり、重複する説明を省略する。
【０２０１】
本第２実施形態の生体情報計測装置（A2）によれば、ブリッジ回路（41）からの出力信号は、図６に示したグラフと類似したグラフを示す。そのため、呼吸波成分と心拍波成分を明確に観測することができ、したがって呼吸情報（呼吸数等）と心拍情報（心拍数等）を精度良く計測することができる。
【０２０２】
而して、本第２実施形態の生体情報計測装置（A2）では、ベッド（１）の寝床面構成部材（２）の上半身受け体（３）が、その左右方向中間部で左半片（23）と右半片（24）とに分割されている。そして、左半片（23）の一部（即ち片持ち梁部（29））が左サイド支持フレーム（7L）に片持ち梁状に支持されているから、この左半片（23）の片持ち梁部（29）が敏感に振動するようになる。また、右半片（24）の一部（即ち片持ち梁部（29））が右サイド支持フレーム（7R）に片持ち梁状に支持されているから、右半片（24）の片持ち梁部（29）が敏感に振動するようになる。そして、左右両半片（23）（24）の片持ち梁部（29）（29）にそれぞれ歪みゲージ（40a）（40b）が貼り付けられているので、被験者の呼吸や心拍に起因する振動を更に確実に検出することができる。したがって、被験者の呼吸情報や心拍情報を更に精度良く計測することができる。
【０２０３】
さらに、歪みゲージ（40a）（40b）が左右両半片（23）（24）の片持ち梁部（29）（29）にそれぞれ貼り付けられているから、ベッド（１）上における被験者の就寝位置を検出することができる。
【０２０４】
図８（Ａ）〜図９は、本発明の第３実施形態に係る生体情報計測装置（A3）を説明するための図である。
【０２０５】
本第３実施形態の生体情報計測装置（A3）では、ベッド（１）は、上記第１実施形態と同じく、上半身受け体（３）を支持する支持部材（19）として、左右一対の左サイド支持フレーム（7L）及び右サイド支持フレーム（7R）と、一対のエンド支持フレーム（８）（８）とを有している。そして、これらのフレームが平面視略ロ字状に組み付けられている。さらに、ベッド（１）は、支持部材（19）として、上半身受け体（３）の左右方向中間部の下側に配置され且つ上半身受け体（３）の長さ方向に延びた中央支持フレーム（６）を有している。そして、この中央支持フレーム（６）が、両エンド支持フレーム（８）（８）の左右方向中間部の上面に溶接等により固定されて取り付けられている。
【０２０６】
上半身受け体（３）は、その長さ方向に複数個に分割されている。本第３実施形態では、上半身受け部材（３）はその長さ方向に二個に分割されている。そして、上半身受け部材（３）の二個の分割片のうち、被験者の胸部を含む胸周辺部に対応する位置に配置された分割片が胸部受け片（25）である。この胸部受け片（25）は、被験者の胸部を含む胸周辺部を受けるためのものである。さらに、この胸部受け片（25）が、その左右方向中間部で左半片（26）と右半片（27）とに分割されている。左右両半片（26）（27）はともに平面視略四角形状で互いに略同一の大きさに形成されている。
【０２０７】
左半片（26）は、その右端部で中央支持フレーム（６）に溶接等により固定されて支持されている。さらに、該左半片（26）の左端は、図８（Ｂ）に示すように、左サイド支持フレーム（7L）から上側に離間して配置されており、すなわち自由端とされている。したがって、左半片（26）はその右端部で中央支持フレーム（６）に片持ち梁状に支持されている。左半片（26）の中央支持フレーム（６）による支持位置から左側の部位が片持ち梁部（29）である。
【０２０８】
右半片（27）は、その左端部で中央支持フレーム（６）に溶接等により固定されて支持されている。さらに、該右半片（27）の右端は、図８（Ｂ）に示すように、右サイド支持フレーム（7R）から上側に離間して配置されており、すなわち自由端とされている。したがって、右半片（27）はその左端部で中央支持フレーム（６）に片持ち梁状に支持されている。右半片（27）の中央支持フレーム（６）による支持位置から右側の部位が片持ち梁部（29）である。
【０２０９】
また、左半片（26）の片持ち梁部（29）の中央支持フレーム（６）による支持位置の近傍部の上下両面の互いに対向する位置に、歪みゲージ（40a）（40a）（40b）（40b）が二対、直接貼り付けられている。この二対の歪みゲージ（40a）（40a）（40b）（40b）を「左歪みゲージ群（40L）」という。二対の歪みゲージ（40a）（40a）（40b）（40b）は、図２に示すように電気的に接続されることによって、ブリッジ回路（41）が形成されている。これらの歪みゲージ（40a）（40a）（40b）（40b）が貼り付けられた左半片（26）の片持ち梁部（29）が起歪体として機能する。
【０２１０】
また、右半片（27）の片持ち梁部（29）の中央支持フレーム（６）による支持位置の近傍部の上下両面の互いに対向する位置に、歪みゲージ（40a）（40a）（40b）（40b）が二対、直接貼り付けられている。この二対の歪みゲージ（40a）（40a）（40b）（40b）を「右歪みゲージ群（40R）」という。二対の歪みゲージ（40a）（40a）（40b）（40b）は、図２に示すように電気的に接続されることによって、ブリッジ回路（41）が形成されている。これらの歪みゲージ（40a）（40a）（40b）（40b）が貼り付けられた右半片（27）の片持ち梁部（29）が起歪体として機能する。
【０２１１】
本第３実施形態の生体情報計測装置（A3）及びこれに用いられるベッド（１）の他の構成、並びに生体情報計測方法は、上記第１実施形態と同じであり、重複する説明を省略する。
【０２１２】
而して、本第３実施形態の生体情報計測装置（A3）では、ベッド（１）の寝床面構成部材（２）の上半身受け体（３）は、その長さ方向に二個に分割されている。さらに、上半身受け体（３）の胸部受け片（25）は、その左右方向中間部で左半片（26）と右半片（27）に分割されている。そして、左半片（26）がその右端部で中央支持フレーム（６）に片持ち梁状に支持されているから、この左半片（26）が敏感に振動するようになる。また、右半片（27）がその左端部で中央支持フレーム（６）に片持ち梁状に支持されているから、この右半片（27）が敏感に振動するようになる。そして、左右両半片（26）（27）にそれぞれ歪みゲージ（40a）（40b）が貼り付けられているので、被験者の呼吸や心拍に起因する振動を更に確実に検出することができる。したがって、被験者の呼吸情報や心拍情報を更に精度良く計測することができる。
【０２１３】
さらに、歪みゲージ（40a）（40b）が左右両半片（26）（27）にそれぞれ貼り付けられているから、ベッド（１）上における被験者の就寝位置を検出することができる。
【０２１４】
図９は、本第３実施形態の生体情報計測装置（A3）により被験者の生体情報を計測した場合の、ブリッジ回路（41）からの出力信号の一実測例を示す図（グラフ）である。
【０２１５】
同図に示すように、本第３実施形態の生体情報計測装置（A3）によれば、呼吸波成分と心拍波成分を更に明確に観測することができ、したがって呼吸情報（呼吸数等）と心拍情報（心拍数等）を第１実施形態の生体情報計測装置（A1）よりも高精度に計測することができる。
【０２１６】
図１０（Ａ）〜図１１は、本発明の第４実施形態に係る生体情報計測装置（A4）を説明するための図である。
【０２１７】
本第４実施形態の生体情報計測装置（A4）では、ベッド（１）は、上半身受け体（３）を支持する支持部材（19）として、上半身受け体（３）の左右方向両側部の下側に配置され且つ上半身受け体（３）の長さ方向に延びた左右一対の第１左サイド支持フレーム（7L）及び第１右サイド支持フレーム（7R）と、上半身受け体（３）の左右方向両側部の下側における第１左サイド支持フレーム（7L）と第１右サイド支持フレーム（7R）との間の位置に配置され且つ上半身受け体（３）の長さ方向に延びた左右一対の第２左サイド支持フレーム（11L）及び第２右サイド支持フレーム（11R）とを有している。さらに、ベッド（１）は、支持部材（19）として、上半身受け体（３）の長さ方向両端部の下側に配置され且つ上半身受け体（３）の左右方向に延びた一対のエンド支持フレーム（８）（８）を有している。そして、第１左サイド支持フレーム（7L）、第１右サイド支持フレーム（7R）及び両エンド支持フレーム（８）（８）が平面視略ロ字状に組み付けられている。さらに、第２左サイド支持フレーム（11L）及び第２右サイド支持フレーム（11R）が両エンド支持フレーム（８）（８）間に架設されている。
【０２１８】
上半身受け体（３）は、その長さ方向に並んで配置され且つその左右方向に延びた複数個の横桟（30）から形成されている。本第４実施形態では、横桟（30）の個数は５個である。各横桟（30）は、アルミニウム製の中空材からなる。これらの横桟（30）のうち、被験者の胸部を含む胸周辺部に対応する位置に配置された互いに隣り合う二個の横桟（31）（32）を、説明の便宜上、それぞれ「第１横桟（31）」及び「第２横桟（32）」という。第１横桟（31）及び第２横桟（32）は、被験者の胸部を含む胸周辺部を受けるためのものである。第１横桟（31）及び第２横桟（32）は互いに離間して配置されている。
【０２１９】
第１横桟（31）は、その左端部で第２左サイド支持フレーム（11L）に溶接等により固定されて支持されるとともに、該第１横桟（31）の右端は、図１０（Ｂ）に示すように第１右サイド支持フレーム（7R）及び第２右サイド支持フレーム（11R）から上側に離間して配置されており、すなわち自由端とされている。したがって、該第１横桟（31）はその左端部で第２左サイド支持フレーム（11L）に片持ち梁状に支持されている。第１横桟（31）の第２左サイド支持フレーム（11L）による支持位置よりも右側の部位が片持ち梁部（29）である。
【０２２０】
第２横桟（32）は、その右端部で第２右サイド支持フレーム（11R）に溶接等により固定されて支持されるとともに、該第２横桟（32）の左端は、図１０（Ｂ）に示すように第１左サイド支持フレーム（7L）及び第２左サイド支持フレーム（11L）から上側に離間して配置されており、すなわち自由端とされている。したがって、該第２横桟（32）はその右端部で第２右サイド支持フレーム（11R）に片持ち梁状に支持されている。第２横桟（32）の第２右サイド支持フレーム（11R）による支持位置よりも左側の部位が片持ち梁部（29）である。
【０２２１】
また、第１横桟（31）の片持ち梁部（29）の第２左サイド支持フレーム（11L）による支持位置の近傍部の上下両面の互いに対向する位置に、歪みゲージ（40a）（40a）（40b）（40b）が二対、直接貼り付けられている。この二対の歪みゲージ（40a）（40a）（40b）（40b）を「左歪みゲージ群（40L）」という。二対の歪みゲージ（40a）（40a）（40b）（40b）は、図２に示すように電気的に接続されることによって、ブリッジ回路（41）が形成されている。これらの歪みゲージ（40a）（40a）（40b）（40b）が貼り付けられた第１横桟（31）の片持ち梁部（29）が起歪体として機能する。
【０２２２】
また、第２横桟（32）の片持ち梁部（29）の第２右サイド支持フレーム（11R）による支持位置の近傍部の上下両面の互いに対向する位置に、歪みゲージ（40a）（40a）（40b）（40b）が二対、直接貼り付けられている。この二対の歪みゲージ（40a）（40a）（40b）（40b）を「右歪みゲージ群（40R）」という。二対の歪みゲージ（40a）（40a）（40b）（40b）は、図２に示すように電気的に接続されることによって、ブリッジ回路（41）が形成されている。これらの歪みゲージ（40a）（40a）（40b）（40b）が貼り付けられた第２横桟（32）の片持ち梁部（29）が起歪体として機能する。
【０２２３】
本第４実施形態の生体情報計測装置（A4）及びこれに用いられるベッド（１）の他の構成、並びに生体情報計測方法は、上記第１実施形態と同じであり、重複する説明を省略する。
【０２２４】
而して、本第４実施形態の生体情報計測装置（A4）では、ベッド（１）の寝床面構成部材（２）の上半身受け体（３）は、複数個の横桟（30）から形成されている。そして、第１横桟（31）がその左端部で第２左サイド支持フレーム（11L）に片持ち梁状に支持されているから、この第１横桟（31）が敏感に振動するようになる。また、第２横桟（32）がその右端部で第２右サイド支持フレーム（11R）に片持ち梁状に支持されているから、この第２横桟（32）が敏感に振動するようになる。そして、第１横桟（31）及び第２横桟（32）にそれぞれ歪みゲージ（40a）（40b）が貼り付けられているので、被験者の呼吸や心拍に起因する振動を更に確実に検出することができる。したがって、被験者の呼吸情報や心拍情報を更に精度良く計測することができる。
【０２２５】
さらに、歪みゲージ（40a）（40b）が第１横桟（31）及び第２横桟（32）にそれぞれ貼り付けられているから、ベッド（１）上における被験者の就寝位置を検出することができる。
【０２２６】
図１１は、本第４実施形態の生体情報計測装置（A4）により被験者の生体情報を計測した場合の、ブリッジ回路（41）からの出力信号の一実測例を示す図（グラフ）である。
【０２２７】
同図に示すように、本第４実施形態の生体情報計測装置（A4）によれば、呼吸波成分と心拍波成分を非常に明確に観測することができ、したがって呼吸情報（呼吸数等）と心拍情報（心拍数等）を、第１実施形態の生体情報計測装置（A1）及び第３実施形態の生体情報計測装置（A3）よりも、より一段と高精度に計測することができる。
【０２２８】
図１２（Ａ）〜図１２（Ｃ）は、本発明の第５実施形態に係る生体情報計測装置（A5）を説明するための図である。
【０２２９】
本第５実施形態の生体情報計測装置（A5）の構成は、上記第４実施形態の装置（A4）の構成に類似している。
【０２３０】
本第５実施形態の生体情報計測装置（A5）では、ベッド（１）は、上半身受け体（３）を支持する支持部材（19）として、上記第１実施形態と同じく、左右一対の左サイド支持フレーム（7L）及び右サイド支持フレーム（7R）と、一対のエンド支持フレーム（８）（８）とを有している。そして、これらのフレームが平面視略ロ字状に組み付けられている。なお、ベッド（１）は中央支持フレーム（（６）、図２参照。）を有していない。
【０２３１】
上半身受け体（３）は、その長さ方向に並んで配置され且つその左右方向に延びた複数個の横桟（30）から形成されている。本第５実施形態では、横桟（30）の個数は四個である。各横桟（30）は、アルミニウム製である。これらの横桟（30）のうち、被験者の胸部を含む胸周辺部に対応する位置に配置された互いに隣り合う二個の横桟（31）（32）を、説明の便宜上、それぞれ「第１横桟（31）」及び「第２横桟（32）」という。第１横桟（31）及び第２横桟（32）は、被験者の胸部を含む胸周辺部を受けるためのものである。第１横桟（31）及び第２横桟（32）は互いに離間して配置されている。第１横桟（31）及び第２横桟（32）は、ともに平面視略台形状の板材（詳述すると平板材）からなり、またアルミニウム製である。
【０２３２】
第１横桟（31）は、その左端部で左サイド支持フレーム（7L）に突設された支点部（28）に溶接等により固定されて支持されるとともに、該第１横桟（31）の右端は、図１２（Ｂ）に示すように右サイド支持フレーム（7R）から上側に離間して配置されており、すなわち自由端とされている。したがって、該第１横桟（31）はその左端部で左サイド支持フレーム（7L）に片持ち梁状に支持されている。第１横桟（31）の左サイド支持フレーム（7L）による支持位置よりも右側の部位が片持ち梁部（29）である。
【０２３３】
第２横桟（32）は、その右端部で右サイド支持フレーム（7R）に突設された支点部（28）に溶接等により固定されて支持されるとともに、該第２横桟（32）の左端は、図１２（Ｃ）に示すように左サイド支持フレーム（7L）から上側に離間して配置されており、すなわち自由端とされている。したがって、該第２横桟（32）はその右端部で右サイド支持フレーム（7R）に片持ち梁状に支持されている。第２横桟（32）の右サイド支持フレーム（7R）による支持位置よりも左側の部位が片持ち梁部（29）である。
【０２３４】
また、第１横桟（31）の片持ち梁部（29）の左サイド支持フレーム（7L）による支持位置の近傍部の上下両面の互いに対向する位置に、歪みゲージ（40a）（40a）（40b）（40b）が二対、直接貼り付けられている。この二対の歪みゲージ（40a）（40a）（40b）（40b）を「左歪みゲージ群（40L）」という。二対の歪みゲージ（40a）（40a）（40b）（40b）は、図２に示すように電気的に接続されることによって、ブリッジ回路（41）が形成されている。これらの歪みゲージ（40a）（40a）（40b）（40b）が貼り付けられた第１横桟（31）の片持ち梁部（29）が起歪体として機能する。
【０２３５】
また、第２横桟（32）の片持ち梁部（29）の右サイド支持フレーム（7R）による支持位置の近傍部の上下両面の互いに対向する位置に、歪みゲージ（40a）（40a）（40b）（40b）が二対、直接貼り付けられている。この二対の歪みゲージ（40a）（40a）（40b）（40b）を「右歪みゲージ群（40R）」という。二対の歪みゲージ（40a）（40a）（40b）（40b）は、図２に示すように電気的に接続されることによって、ブリッジ回路（41）が形成されている。これらの歪みゲージ（40a）（40a）（40b）（40b）が貼り付けられた第２横桟（32）の片持ち梁部（29）が起歪体として機能する。
【０２３６】
本第５実施形態の生体情報計測装置（A5）及びこれに用いられるベッド（１）の他の構成、並びに生体情報計測方法は、上記第１実施形態と同じであり、重複する説明を省略する。
【０２３７】
本第５実施形態の生体情報計測装置（A5）によれば、ブリッジ回路（41）からの出力信号は、図１１に示したグラフと類似したグラフを示す。そのため、呼吸波成分と心拍波成分を非常に明確に観測することができ、したがって呼吸情報（呼吸数等）と心拍情報（心拍数等）を、第１実施形態の生体情報計測装置（A1）及び第３実施形態の生体情報計測装置（A3）よりも、より一段と高精度に計測することができる。
【０２３８】
而して、本第５実施形態の生体情報計測装置（A5）では、上記第４実施形態の装置（A4）と同じ効果を奏する。
【０２３９】
図１３（Ａ）及び図１３（Ｂ）は、本発明の第６実施形態に係る生体情報計測装置（A6）を説明するための図である。
【０２４０】
本第６実施形態の生体情報計測装置（A6）では、ベッド（１）は、上記第１実施形態と同じく、上半身受け体（３）を支持する支持部材（19）として、左右一対の左サイド支持フレーム（7L）及び右サイド支持フレーム（7R）と、一対のエンド支持フレーム（８）（８）とを有している。そして、これらのフレームが平面視略ロ字状に組み付けられている。なお、ベッド（１）は中央支持フレーム（（６）、図２参照。）を有していない。
【０２４１】
上半身受け体（３）は、その長さ方向に並んで配置され且つその左右方向に延びた複数個の横桟（33）から形成されている。本第６実施形態では、横桟（33）の個数は６個である。これらの横桟（33）のうち、被験者の胸部を含む胸周辺部に対応する位置に配置された一個の横桟（33A）は、該横桟（33A）の左右方向中間部に配置される中間片（34）と、該横桟（33A）の左右方向両端部に配置される左右一対の左連結片（35）及び右連結片（36）とから形成されている。この横桟（33A）は、被験者の胸部を含む胸周辺部を受けるためのものである。
【０２４２】
左連結片（35）は中間片（34）を左サイド支持フレーム（7L）に連結するためのものであり、右連結片（36）は中間片を右サイド支持フレーム（7R）に連結するためのものである。
【０２４３】
中間片（34）はアルミニウム製の中空材からなる。左連結片（35）及び右連結片（36）はいずれもアルミニウム製の中実材からなる。
【０２４４】
なお本発明では、中間片（34）、左連結片（35）及び右連結片（36）の材質は、アルミニウムに限定されるものではなく、例えば、アルミニウム以外の他の金属であっても良いし、プラスチックであっても良い。
【０２４５】
左連結片（35）は、その左端部で左サイド支持フレーム（7L）に溶接等により固定されて支持されている。さらに、該左連結片（35）の右端部が中間片（34）の左端部にその中空部内に嵌合された状態で溶接等により固定されて連結されている。
【０２４６】
右連結片（36）は、その右端部で右サイド支持フレーム（7R）に溶接等により固定されて支持されている。さらに、該右連結片（36）の左端部が中間片（34）の右端部にその中空部内に嵌合された状態で溶接等により固定されて連結されている。
【０２４７】
また、左連結片（35）の左右方向中間部の上下両面の互いに対向する位置に、歪みゲージ（40a）（40a）（40b）（40b）が二対、直接貼り付けられている。この二対の歪みゲージ（40a）（40a）（40b）（40b）を「左歪みゲージ群（40L）」という。二対の歪みゲージ（40a）（40a）（40b）（40b）は、図２に示すように電気的に接続されることによって、ブリッジ回路（41）が形成されている。これらの歪みゲージ（40a）（40a）（40b）（40b）が貼り付けられた左連結片（35）が起歪体として機能する。
【０２４８】
また、右連結片（36）の左右方向中間部の上下両面の互いに対向する位置に、歪みゲージ（40a）（40a）（40b）（40b）が二対、直接貼り付けられている。この二対の歪みゲージ（40a）（40a）（40b）（40b）を「右歪みゲージ群（40R）」という。二対の歪みゲージ（40a）（40a）（40b）（40b）は、図２に示すように電気的に接続されることによって、ブリッジ回路（41）が形成されている。これらの歪みゲージ（40a）（40a）（40b）（40b）が貼り付けられた右連結片（36）が起歪体として機能する。
【０２４９】
本第６実施形態の生体情報計測装置（A6）及びこれに用いられるベッド（１）の他の構成、並びに生体情報計測方法は、上記第１実施形態と同じであり、重複する説明を省略する。
【０２５０】
而して、本第６実施形態の生体情報計測装置（A6）では、上半身受け体（３）の複数個の横桟（33）のうち、被験者の胸部を含む胸周辺部に対応する位置に配置された横桟（33A）は、中間片（34）と左連結片（35）と右連結片（36）とに分割されている。そして、左連結片（35）がその左端部で左サイド支持フレーム（7L）に支持されるとともに、該左連結片（35）の右端部が中間片（34）の左端部に連結されている。さらに、右連結片（36）がその右端部で右サイド支持フレーム（7R）に支持されるとともに、該右連結片（36）の左端部が中間片（34）の右端部に連結されている。そして、左右両連結片（35）（36）の左右方向中間部にそれぞれ歪みゲージ（40a）（40b）が貼り付けられているから、被験者の呼吸や心拍に起因する振動を更に確実に検出することができる。したがって、被験者の呼吸情報や心拍情報を更に精度良く計測することができる。
【０２５１】
さらに、歪みゲージ（40a）（40b）が左右両連結片（35）（36）にそれぞれ貼り付けられているから、ベッド（１）上における被験者の就寝位置を検出することができる。
【０２５２】
さらに、横桟（33A）の中間片（34）が中空材からなるので、中間片（34）が敏感に振動するようになる。そのため、被験者の生体情報を更に精度良く計測することができる。さらに、ベッド（１）の更なる軽量化を図ることができる。
【０２５３】
なお、本第６実施形態の装置（A6）では、上半身受け体（３）の複数個の横桟（33）のうち一個の横桟（33A）だけが、中間片（34）、左連結片（35）及び右連結片（36）から形成されたものであるが、本発明では、二個以上の横桟がこのように形成されていても良い。
【０２５４】
図１４（Ａ）〜図１４（Ｃ）は、本発明の第７実施形態に係る生体情報計測装置（A7）を説明するための図である。
【０２５５】
本第７実施形態の生体情報計測装置（A7）では、ベッド（１）は、上記第１実施形態と同じく、上半身受け体（３）を支持する支持部材（19）として、左右一対の左サイド支持フレーム（7L）及び右サイド支持フレーム（7R）と、一対のエンド支持フレーム（８）（８）とを有している。そして、これらのフレームが平面視略ロ字状に組み付けられている。なお、ベッド（１）は中央支持フレーム（（６）、図２参照。）を有していない。
【０２５６】
上半身受け体（３）は、その長さ方向に複数個に分割されている。本第７実施形態では、上半身受け部材（３）はその長さ方向に四個に分割されている。そして、上半身受け体（３）の四個の分割片（37）のうち、被験者の胸部を含む胸周辺部に対応する位置に配置された分割片が胸部受け片（37A）である。この胸部受け片（37A）は、被験者の胸部を含む胸周辺部を受けるためのものである。
【０２５７】
この胸部受け片（37A）は平面視略四角形状の板材（詳述すると平板材）からなり、アルミニウム製である。一方、残りの分割片（37）は、棒状の中空材からなる。
【０２５８】
胸部受け片（37A）は、該胸部受け片（37A）の下側に配置され且つ上半身受け体（３）の左右方向に延びた二個の横桟（38）（39）を有している。これらの横桟（38）（39）を、説明の便宜上、それぞれ「第１横桟（38）」及び「第２横桟（39）」という。第１横桟（38）及び第２横桟（39）は、ともに中空材からなり、またアルミニウム製である。第１横桟（38）及び第２横桟（39）は、互いに略平行に且つ離間して配置されている。
【０２５９】
第１横桟（38）は、その左端部で左サイド支持フレーム（7L）に溶接等により固定されて支持されるとともに、該第１横桟（38）の右端は、図１４（Ｂ）に示すように右サイド支持フレーム（7R）から離間して配置されており、すなわち自由端とされている。したがって、該第１横桟（38）はその左端部で左サイド支持フレーム（7L）に片持ち梁状に支持されている。第１横桟（38）の左サイド支持フレーム（7L）による支持位置よりも右側の部位が片持ち梁部（29）である。なお、（G1）は、第１横桟（38）の右端部（先端部）と右サイド支持フレーム（7R）との間の隙間である。
【０２６０】
第２横桟（39）は、その右端部で右サイド支持フレーム（7R）に溶接等により固定されて支持されるとともに、該第２横桟（39）の左端は、図１４（Ｃ）に示すように左サイド支持フレーム（7L）から離間して配置されており、すなわち自由端とされている。したがって、該第２横桟（39）はその右端部で右サイド支持フレーム（7R）に片持ち梁状に支持されている。第２横桟（39）の右サイド支持フレーム（7R）による支持位置よりも左側の部位が片持ち梁部（29）である。なお、（G2）は、第２横桟（39）の左端部（先端部）と左サイド支持フレーム（7L）との間の隙間である。
【０２６１】
胸部受け片（37A）は、その右端部で第１横桟（38）の右端部（先端部）に突設された支点部（28）に溶接等により固定されて支持されている。さらに、この胸部受け片（37A）は、その左端部で第２横桟（39）の左端部（先端部）に突設された支点部（28）に溶接等により固定されて支持されている。
【０２６２】
なお本発明では、胸部受け片（37A）は支点部（28）にボルト−ナット等の締結部材により固定されて支持されていても良い。
【０２６３】
また、第１横桟（38）の片持ち梁部（29）の左サイド支持フレーム（7L）による支持位置の近傍部の上下両面の互いに対向する位置に、歪みゲージ（40a）（40a）（40b）（40b）が二対、直接貼り付けられている。この二対の歪みゲージ（40a）（40a）（40b）（40b）を「左歪みゲージ群（40L）」という。二対の歪みゲージ（40a）（40a）（40b）（40b）は、図２に示すように電気的に接続されることによって、ブリッジ回路（41）が形成されている。これらの歪みゲージ（40a）（40a）（40b）（40b）が貼り付けられた第１横桟（38）の片持ち梁部（29）が起歪体として機能する。
【０２６４】
また、第２横桟（38）の片持ち梁部（29）の右サイド支持フレーム（7R）による支持位置の近傍部の上下両面の互いに対向する位置に、歪みゲージ（40a）（40a）（40b）（40b）が二対、直接貼り付けられている。この二対の歪みゲージ（40a）（40a）（40b）（40b）を「右歪みゲージ群（40R）」という。二対の歪みゲージ（40a）（40a）（40b）（40b）は、図２に示すように電気的に接続されることによって、ブリッジ回路（41）が形成されている。これらの歪みゲージ（40a）（40a）（40b）（40b）が貼り付けられた第２横桟（39）の片持ち梁部（29）が起歪体として機能する。
【０２６５】
本第７実施形態の生体情報計測装置（A7）及びこれに用いられるベッド（１）の他の構成、並びに生体情報計測方法は、上記第１実施形態と同じであり、重複する説明を省略する。
【０２６６】
而して、本第７実施形態の生体情報計測装置（A7）では、ベッド（１）の上半身受け体（３）の胸部受け片（37A）は、第１横桟（38）及び第２横桟（39）を有している。そして、第１横桟（38）がその左端部で左サイド支持フレーム（7L）に片持ち梁状に支持されているから、この第１横桟（38）が敏感に振動するようになる。また、第２横桟（39）がその右端部で右サイド支持フレーム（7R）に片持ち梁状に支持されているから、この第２横桟（39）が敏感に振動するようになる。さらに、胸部受け片（37A）がその右端部で第１横桟（38）の右端部（先端部）に支持され且つその左端部で第２横桟（39）の左端部（先端部）に支持されているから、胸部受け片（37A）、第１横桟（38）及び第２横桟（39）はいずれも敏感に振動するようになる。そして、第１横桟（38）及び第２横桟（39）にそれぞれ歪みゲージ（40a）（40b）が貼り付けられているから、被験者の呼吸や心拍に起因する振動をより一層確実に検出することができる。したがって、被験者の呼吸情報や心拍情報をより一層精度良く計測することができる。
【０２６７】
さらに、歪みゲージ（40a）（40b）が第１横桟（38）及び第２横桟（39）にそれぞれ貼り付けられているから、ベッド（１）上における被験者の就寝位置を検出することができる。
【０２６８】
図１５は、本第７実施形態の生体情報計測装置（A7）により被験者の生体情報を計測した場合の、ブリッジ回路（41）からの出力信号の一実測例を示す図（グラフ）である。
【０２６９】
同図に示すように、本第７実施形態の生体情報計測装置（A7）によれば、呼吸波成分と心拍波成分を非常に明確に観測することができ、したがって呼吸情報（呼吸数等）と心拍情報（心拍数等）を、第１実施形態の生体情報計測装置（A1）及び第３実施形態の生体情報計測装置（A3）よりも、より一段と高精度に計測することができる。
【０２７０】
以上で、本発明の幾つかの実施形態について説明したが、本発明は、上記実施形態に示したものに限定されるものではなく、様々に設定変更可能である。
【０２７１】
例えば、上記実施形態では、いずれも、ベッド（１）の寝床面構成部材（２）に貼り付けられる歪みゲージ（40a）（40b）の個数は、合計八個であるが、本発明では、歪みゲージの個数は八個に限定されるものではなく、例えば、一個であっても良いし、二個であっても良いし、三個以上であっても良い。
【０２７２】
また、上記実施形態では、いずれも、各ブリッジ回路（41）に用いられる歪みゲージの対数は、二対であるが、本発明では、歪みゲージの対数は二対に限定されるものではなく、例えば、三対であっても良いし、四対以上であっても良い。
【０２７３】
また、上記実施形態では、いずれも、二対の歪みゲージ（40a）（40a）（40b）（40b）からなる歪みゲージ群（40L）（40R）の組数は、二組であるが、本発明では、歪みゲージ群の組数は二組に限定されるものではなく、例えば、一組であっても良いし、三組であっても良いし、四組以上であっても良い。
【０２７４】
また、上記実施形態では、いずれも、歪みゲージは寝床面構成部材（２）の一部に、接着剤等によって貼り付けられることで取り付けられているが、本発明では、歪みゲージはカシメ、ネジ止め、リベット止め、溶接（例：スポット溶接）等の機械的接合手段によって沿接状態に取り付けられていても良い。
【０２７５】
また、上記第２実施形態では、ベッド（１）の上半身受け体（３）は、その左右方向中間部で左半片（23）と右半片（24）とに完全に分割されているが、本発明では、左半片（23）と右半片（24）とが一部で繋がっていても良い。
【０２７６】
さらに、本発明では、ベッド（１）の上半身受け体（３）の分割態様や分割数は、上記実施形態に示したものに限定されるものではない。
【０２７７】
また、本発明では、生体情報計測装置（A1〜A7）やベッド（１）には、必要に応じて、安全上の装置が付設されていても良いし、安全上の処理が施されていても良い。
【０２７８】
また、本発明では、ベッド（１）は、被験者が睡眠するために用いられるものであっても良いし、病院や介護施設などで用いられる診察台、検査台、ストレッチャー等であっても良い。
【産業上の利用可能性】
【０２７９】
本発明は、医療施設、介護施設、一般家庭等において、健康人、病人、乳幼児、高齢者等の被験者の例えば就寝中の生体情報を計測するための装置、該装置に用いられるベッド、前記装置を用いた生体情報計測方法、及び生体活動監視システムとして利用可能である。
【図面の簡単な説明】
【０２８０】
【図１】本発明の第１実施形態の生体情報計測装置の概略斜視図である。
【図２（Ａ）】同装置のベッドの上半身受け体を示す斜視図である。
【図２（Ｂ）】図２（Ａ）中のＸ−Ｘ線断面図である。
【図３】同装置のブリッジ回路を示す図である。
【図４】同装置のブロック図である。
【図５】同装置の生体情報計測処理を示すフローチャート図である。
【図６】同装置のブリッジ回路からの出力信号の一実測例を示す図（グラフ）である。
【図７（Ａ）】本発明の第２実施形態の生体情報計測装置のベッドの上半身受け体を示す斜視図である。
【図７（Ｂ）】図７（Ａ）中のＸ−Ｘ線断面図である。
【図８（Ａ）】本発明の第３実施形態の生体情報計測装置のベッドの上半身受け体を示す斜視図である。
【図８（Ｂ）】図８（Ａ）中のＸ−Ｘ線断面図である。
【図９】同装置のブリッジ回路からの出力信号の一実測例を示す図（グラフ）である。
【図１０（Ａ）】本発明の第４実施形態の生体情報計測装置のベッドの上半身受け体を示す斜視図である。
【図１０（Ｂ）】図１０（Ａ）中のＸ−Ｘ線断面図である。
【図１０（Ｃ）】図１０（Ａ）中のＹ−Ｙ線断面図である。
【図１１】同装置のブリッジ回路からの出力信号の一実測例を示す図（グラフ）である。
【図１２（Ａ）】本発明の第５実施形態の生体情報計測装置のベッドの上半身受け体を示す斜視図である。
【図１２（Ｂ）】図１２（Ａ）中のＸ−Ｘ線断面図である。
【図１２（Ｃ）】図１２（Ａ）中のＹ−Ｙ線断面図である。
【図１３（Ａ）】本発明の第６実施形態の生体情報計測装置のベッドの上半身受け体を示す斜視図である。
【図１３（Ｂ）】図１３（Ａ）中のＸ−Ｘ線断面図である。
【図１４（Ａ）】本発明の第７実施形態の生体情報計測装置のベッドの上半身受け体を示す斜視図である。
【図１４（Ｂ）】図１４（Ａ）中のＸ−Ｘ線断面図である。
【図１４（Ｃ）】図１４（Ａ）中のＹ−Ｙ線断面図である。
【図１５】同装置のブリッジ回路からの出力信号の一実測例を示す図（グラフ）である。
【符号の説明】
【０２８１】
A1〜A7：生体情報計測装置
１：ベッド
２：寝床面構成部材
３：上半身受け体
６：中央支持フレーム
7L：左サイド支持フレーム
7R：右サイド支持フレーム
11L：第２左サイド支持フレーム
11R：第２右サイド支持フレーム
19：支持部材
21：左半部
22：右半部
23：左半片
24：右半片
25：胸部受け片
26：左半片
27：右半片
29：片持ち梁部
31：第１横桟
32：第２横桟
33：横桟
34：中間片
35：左連結片
36：右連結片
37A：胸部受け片
38：第１横桟
39：第２横桟
40a、40b：歪みゲージ
41：ブリッジ回路
50：演算手段
55：表示手段
56：通信手段
57：警報手段
【図１】
2005177471.tif 000003
【図２（Ａ）】
2005177471.tif 000004
【図２（Ｂ）】
2005177471.tif 000005
【図３】
2005177471.tif 000006
【図４】
2005177471.tif 000007
【図５】
2005177471.tif 000008
【図６】
2005177471.tif 000009
【図７（Ａ）】
2005177471.tif 000010
【図７（Ｂ）】
2005177471.tif 000011
【図８（Ａ）】
2005177471.tif 000012
【図８（Ｂ）】
2005177471.tif 000013
【図９】
2005177471.tif 000014
【図１０（Ａ）】
2005177471.tif 000015
【図１０（Ｂ）】
2005177471.tif 000016
【図１０（Ｃ）】
2005177471.tif 000017
【図１１】
2005177471.tif 000018
【図１２（Ａ）】
2005177471.tif 000019
【図１２（Ｂ）】
2005177471.tif 000020
【図１２（Ｃ）】
2005177471.tif 000021
【図１３（Ａ）】
2005177471.tif 000022
【図１３（Ｂ）】
2005177471.tif 000023
【図１４（Ａ）】
2005177471.tif 000024
【図１４（Ｂ）】
2005177471.tif 000025
【図１４（Ｃ）】
2005177471.tif 000026
【図１５】
2005177471.tif 000027